(57)【要約】  本発明はセッションを確立するための方法および装置を開示し、従来技術の４Ｇネットワークにおいて確立されたコントロールプレーンデータ伝送方法が５Ｇネットワークに適しない問題を解決すること。本発明の実施例に係るアクセスおよび移動管理機能エンティティは端末によって送信されるセッション確立要求を受信した後、セッション管理機能エンティティに前記端末のためにコントロールプレーンセッションを確立するように指示し、前記セッション管理機能エンティティはユーザプレーン機能エンティティに下りデータを伝送するためのトンネル情報を指示し、データを伝送する必要がある時に、前記アクセスおよび移動管理機能エンティティと端末との間で非アクセス層メッセージを介してデータ伝送を行う。本発明では、データ伝送の必要がある時に、前記アクセスおよび移動管理機能エンティティと端末との間で非アクセス層メッセージを介してデータ伝送を行うため、５Ｇネットワークにおけるコントロールプレーンのデータ伝送に適する。
2021508974.tif 000002
【特許請求の範囲】
【請求項１】
アクセスおよび移動管理機能エンティティは端末から送信されるセッション確立要求を受信することと、
前記アクセスおよび移動管理機能エンティティは前記端末のためにコントロールプレーンセッションを確立することを確定することと、
前記アクセスおよび移動管理機能エンティティはセッション管理機能エンティティに前記端末のコントロールプレーンセッションを確立するように指示することと、
前記アクセスおよび移動管理機能エンティティと前記端末との間で非アクセス層メッセージを介してデータ伝送を行うことと、
を含むことを特徴とするセッションを確立する方法。
【請求項２】
前記アクセスおよび移動管理機能エンティティは前記端末のためにコントロールプレーンセッションを確立することを確定することは、
前記アクセスおよび移動管理機能エンティティは前記端末に対して登録を行う過程において前記端末とネゴシエーションしてセッションタイプがコントロールプレーンセッションであると確定すること、
を含むことを特徴とする請求項１に記載の方法。
【請求項３】
前記アクセスおよび移動管理機能エンティティは前記セッション管理機能エンティティに前記アクセスおよび移動管理機能エンティティのトンネル情報を指示すること、
をさらに含むことを特徴とする請求項１に記載の方法。
【請求項４】
前記アクセスおよび移動管理機能エンティティのトンネル情報はユーザプレーン機能エンティティによってアクセスおよび移動管理機能エンティティに下りデータを送信することに用いられる、
ことを特徴とする請求項３に記載の方法。
【請求項５】
前記アクセスおよび移動管理機能エンティティは前記セッション管理機能エンティティによって指示されるユーザプレーン機能エンティティのトンネル情報を受信すること、
をさらに含むことを特徴とする請求項１に記載の方法。
【請求項６】
前記ユーザプレーン機能エンティティのトンネル情報は前記アクセスおよび移動管理機能エンティティによってユーザプレーン機能エンティティに上りデータを送信することに用いられる、
ことを特徴とする請求項５に記載の方法。
【請求項７】
前記アクセスおよび移動管理機能エンティティは前記セッション管理機能エンティティによって指示される前記セッションのサービス品質メッセージを受信すること、
をさらに含むことを特徴とする請求項５に記載の方法。
【請求項８】
前記アクセスおよび移動管理機能エンティティと端末との間で非アクセス層メッセージを介してデータ伝送を行うことは、
前記アクセスおよび移動管理機能エンティティと端末との間で非アクセス層移動管理メッセージを介してデータ伝送を行うこと、
を含むことを特徴とする請求項１に記載の方法。
【請求項９】
前記アクセスおよび移動管理機能エンティティとユーザプレーン機能エンティティとの間でトンネルを介してデータ伝送を行うこと、
をさらに含むことを特徴とする請求項８に記載の方法。
【請求項１０】
前記アクセスおよび移動管理機能エンティティと端末との間で非アクセス層メッセージを介してデータ伝送を行うことは、
前記アクセスおよび移動管理機能エンティティと端末との間で非アクセス層セッション管理メッセージを介してデータ伝送を行うこと、
を含むことを特徴とする請求項１に記載の方法。
【請求項１１】
前記アクセスおよび移動管理機能エンティティとセッション管理機能エンティティとの間で非アクセス層セッション管理メッセージの伝送を行うこと、
をさらに含むことを特徴とする請求項１０に記載の方法。
【請求項１２】
セッション管理機能エンティティは端末から送信されるセッション確立要求を受信することと、
前記セッション管理機能エンティティはアクセスおよび管理機能エンティティから送信される、端末のコントロールプレーンセッションを確立するための指示情報を受信することと、
前記セッション管理機能エンティティはユーザプレーン機能エンティティに下りデータを伝送するためのトンネル情報を指示することと、
を含むことを特徴とするセッションを確立する方法。
【請求項１３】
前記セッション管理機能エンティティは前記アクセスおよび移動管理機能エンティティから送信される前記アクセスおよび移動管理機能エンティティのトンネル情報を受信すること、
をさらに含むことを特徴とする請求項１２に記載の方法。
【請求項１４】
前記下りデータを伝送するためのトンネル情報はアクセスおよび移動管理機能エンティティによって提供されるトンネル情報、または前記セッション管理機能エンティティのトンネル情報である、
ことを特徴とする請求項１２に記載の方法。
【請求項１５】
前記セッション管理機能エンティティは前記アクセスおよび移動管理機能エンティティに確立が要求されたセッションのサービス品質情報を指示すること、
をさらに含むことを特徴とする請求項１２に記載の方法。
【請求項１６】
前記セッション管理機能エンティティは前記アクセスおよび移動管理機能エンティティにユーザプレーン機能エンティティのトンネル情報を指示すること、
をさらに含むことを特徴とする請求項１２に記載の方法。
【請求項１７】
前記セッション管理機能エンティティは前記端末のセッションコンテキスト情報に基づき、セッションタイプがコントロールプレーンセッションであると確定すること、
をさらに含むことを特徴とする請求項１２に記載の方法。
【請求項１８】
前記セッション管理機能エンティティは前記アクセスおよび移動管理機能エンティティに確立が要求されたセッションに対応するユーザプレーン機能エンティティのトンネル情報を指示すること、
をさらに含むことを特徴とする請求項１７に記載の方法。
【請求項１９】
前記セッション管理機能エンティティと前記端末との間で非アクセス層セッション管理メッセージを介してデータ伝送を行うこと、
をさらに含むことを特徴とする請求項１２に記載の方法。
【請求項２０】
前記セッション管理機能エンティティとユーザプレーン機能エンティティとの間でトンネル情報を介してデータ伝送を行うこと、
をさらに含むことを特徴とする請求項１９に記載の方法。
【請求項２１】
端末はアクセスおよび移動管理機能エンティティにセッション確立要求メッセージを送信することと、
前記端末と前記アクセスおよび移動管理機能エンティティとはコントロールプレーンセッションを確立することと、
前記端末と前記アクセスおよび移動管理機能エンティティとはコントロールプレーンセッションを介してデータ伝送を行うことと、
を含むことを特徴とするセッションを確立する方法。
【請求項２２】
前記端末がアクセスおよび移動管理機能エンティティにセッション確立要求メッセージを送信する前に、
前記端末は登録過程において前記アクセスおよび移動管理機能エンティティとネゴシエーションしてセッションタイプがコントロールプレーンセッションであると確定すること、
を含むことを特徴とする請求項２１に記載の方法。
【請求項２３】
前記端末と前記アクセスおよび移動管理機能エンティティとはコントロールプレーンセッションを確立することは、
前記端末は前記アクセスおよび移動管理機能エンティティにから送信される非アクセス層応答メッセージを受信した後、前記端末は前記アクセスおよび移動管理機能エンティティに非アクセス層確認メッセージを送信すること、
を含むことを特徴とする請求項２１に記載の方法。
【請求項２４】
前記端末と前記アクセスおよび移動管理機能エンティティとはコントロールプレーンセッションを介してデータ伝送を行うことは、
前記端末と前記アクセスおよび移動管理機能エンティティとは非アクセス層移動管理メッセージを介してデータ伝送を行うこと、
を含むことを特徴とする請求項２１に記載の方法。
【請求項２５】
前記端末と前記アクセスおよび移動管理機能エンティティとはコントロールプレーンセッションを介してデータ伝送を行うことは、
前記端末と前記アクセスおよび移動管理機能エンティティとの間で非アクセス層セッション管理メッセージを介してデータ伝送を行うこと、
を含むことを特徴とする請求項２１に記載の方法。
【請求項２６】
セッション確立を行うアクセスおよび移動管理機能エンティティであって、
プロセッサ、メモリおよび送受信機を含み、そのうち、プロセッサはメモリ内のプログラムを読み取って以下の、
端末から送信されるセッション確立要求を前記送受信機により受信し、前記端末のコントロールプレーンセッションを確立することを確定し、前記送受信機によりセッション管理機能エンティティに前記端末のコントロールプレーンセッションを確立するように指示し、前記送受信機により非アクセス層メッセージを介して端末との間でデータ伝送を行う、
ことを実行することを特徴とするアクセスおよび移動管理機能エンティティ。
【請求項２７】
前記プロセッサは、具体的には、
前記端末に対して登録を行う過程において前記端末とネゴシエーションしてセッションタイプがコントロールプレーンセッションであると確定する、
ことに用いられることを特徴とする請求項２６に記載のアクセスおよび移動管理機能エンティティ。
【請求項２８】
前記プロセッサは、さらに具体的には、
前記送受信機により前記セッション管理機能エンティティに前記アクセスおよび移動管理機能エンティティのトンネル情報を指示する、
ことに用いられることを特徴とする請求項２６に記載のアクセスおよび移動管理機能エンティティ。
【請求項２９】
前記アクセスおよび移動管理機能エンティティのトンネル情報は、ユーザプレーン機能エンティティによってアクセスおよび移動管理機能エンティティに下りデータを送信する、
ことに用いられることを特徴とする請求項２６に記載のアクセスおよび移動管理機能エンティティ。
【請求項３０】
前記プロセッサは、さらに具体的には、
前記セッション管理機能エンティティによって指示されるユーザプレーン機能エンティティのトンネル情報を受信する、
ことに用いられることを特徴とする請求項２６に記載のアクセスおよび移動管理機能エンティティ。
【請求項３１】
前記ユーザプレーン機能エンティティのトンネル情報は、前記アクセスおよび移動管理機能エンティティによってユーザプレーン機能エンティティに上りデータを送信する、
ことに用いられることを特徴とする請求項３０に記載のアクセスおよび移動管理機能エンティティ。
【請求項３２】
前記プロセッサは、さらに具体的には、
前記セッション管理機能エンティティから指示される前記セッションのサービス品質情報を前記送受信機により受信する、
ことに用いられることを特徴とする請求項３０に記載のアクセスおよび移動管理機能エンティティ。
【請求項３３】
前記プロセッサは、具体的には、
前記送受信機により非アクセス層移動管理メッセージを介して端末との間でデータ伝送を行う、
ことに用いられることを特徴とする請求項２６に記載のアクセスおよび移動管理機能エンティティ。
【請求項３４】
前記プロセッサは、さらに具体的には、
前記送受信機により、トンネルを介してユーザプレーン機能エンティティとの間でデータ伝送を行う、
ことに用いられることを特徴とする請求項３２に記載のアクセスおよび移動管理機能エンティティ。
【請求項３５】
前記プロセッサは、具体的には、
前記送受信機により、非アクセス層セッション管理メッセージを介して端末との間でデータ伝送を行う、
ことに用いられることを特徴とする請求項２６に記載のアクセスおよび移動管理機能エンティティ。
【請求項３６】
前記プロセッサは、さらに具体的には、
前記送受信機により、セッション管理機能エンティティとの間で非アクセス層セッション管理メッセージの伝送を行う、
ことに用いられることを特徴とする請求項３５に記載のアクセスおよび移動管理機能エンティティ。
【請求項３７】
セッション確立を行うセッション管理機能エンティティであって、
プロセッサ、メモリおよび送受信機を含み、そのうち、プロセッサはメモリ内のプログラムを読み取って以下の、
端末によって送信されるセッション確立要求を前記送受信機により受信し、アクセスおよび移動管理機能エンティティによって送信される、前記端末のコントロールプレーンセッションを確立するための指示情報を前記送受信機により受信し、前記送受信機によりユーザプレーン機能エンティティに下りデータを伝送するためのトンネル情報を指示する、
ことを実行することを特徴とするセッション管理機能エンティティ。
【請求項３８】
前記プロセッサは、さらに具体的には、
前記アクセスおよび移動管理機能エンティティによって送信される前記アクセスおよび移動管理機能エンティティのトンネル情報を前記送受信機により受信する、
ことに用いられることを特徴とする請求項３７に記載のセッション管理機能エンティティ。
【請求項３９】
前記下りデータを伝送するためのトンネル情報はアクセスおよび移動管理機能エンティティによって提供されるトンネル情報、または前記セッション管理機能エンティティのトンネル情報である、
ことを特徴とする請求項３７に記載のセッション管理機能エンティティ。
【請求項４０】
前記プロセッサは、さらに具体的には、
前記送受信機により前記アクセスおよび移動管理機能エンティティに確立が要求されたセッションのサービス品質情報を指示する、
ことに用いられることを特徴とする請求項３７に記載のセッション管理機能エンティティ。
【請求項４１】
前記プロセッサは、さらに具体的には、
前記送受信機により前記アクセスおよび移動管理機能エンティティにユーザプレーン機能エンティティのトンネル情報を指示する、
ことに用いられることを特徴とする請求項３７に記載のセッション管理機能エンティティ。
【請求項４２】
前記プロセッサは、さらに具体的には、
前記端末のセッションコンテキスト情報に基づき、セッションタイプがコントロールプレーンセッションであると確定する、
ことに用いられることを特徴とする請求項３７に記載のセッション管理機能エンティティ。
【請求項４３】
前記プロセッサは、さらに具体的には、
前記送受信機により前記アクセスおよび移動管理機能エンティティに、確立が要求されたセッションに対応するユーザプレーン機能エンティティのトンネル情報を指示する、
ことに用いられることを特徴とする請求項４２に記載のセッション管理機能エンティティ。
【請求項４４】
前記プロセッサは、さらに具体的には、
前記送受信機により、非アクセス層セッション管理メッセージを介して前記端末とのデータ伝送を行う、
ことに用いられることを特徴とする請求項３７に記載のセッション管理機能エンティティ。
【請求項４５】
前記プロセッサは、さらに具体的には、
前記送受信機により、トンネル情報を介してユーザプレーン機能エンティティとの間でデータ伝送を行う、
ことに用いられることを特徴とする請求項４４に記載のセッション管理機能エンティティ。
【請求項４６】
セッション確立を行う端末であって、
プロセッサ、メモリおよび送受信機を含み、そのうち、プロセッサはメモリ内のプログラムを読み取って以下の、
前記送受信機によりアクセスおよび移動管理機能エンティティにセッション確立要求メッセージを送信し、
前記送受信機により前記アクセスおよび移動管理機能エンティティとコントロールプレーンセッションを確立し、
前記送受信機によりコントロールプレーンセッションを介して前記アクセスおよび移動管理機能エンティティとデータ伝送を行う、
ことを実行することを特徴とする端末。
【請求項４７】
前記プロセッサは、具体的には、
アクセスおよび移動管理機能エンティティにセッション確立要求メッセージ送信する前に、前記端末に対して登録を行う過程において前記アクセスおよび移動管理機能エンティティとネゴシエーションしてセッションタイプがコントロールプレーンセッションであると確定する、
ことに用いられることを特徴とする請求項４６に記載の端末。
【請求項４８】
前記プロセッサは、具体的には、
前記アクセスおよび移動管理機能エンティティの間で送信される非アクセス層応答メッセージを受信した後、前記送受信機により前記アクセスおよび移動管理機能エンティティに非アクセス層確認メッセージを送信する、
ことに用いられることを特徴とする請求項４６に記載の端末。
【請求項４９】
前記プロセッサは、具体的には、
前記送受信機により、非アクセス層移動管理メッセージを介して前記アクセスおよび移動管理機能エンティティとの間でデータ伝送を行う、
ことに用いられることを特徴とする請求項４６に記載の端末。
【請求項５０】
前記プロセッサは、具体的には、
前記送受信機により、非アクセス層セッション管理メッセージを介して前記アクセスおよび移動管理機能エンティティとの間でデータ伝送を行う、
ことに用いられることを特徴とする請求項４６に記載の端末。
【請求項５１】
セッション確立を行うアクセスおよび移動管理機能エンティティであって、
端末によって送信されるセッション確立要求を受信する第１の受信モジュールと、
前記端末のためにコントロールプレーンセッションを確立することを確定し、セッション管理機能エンティティに前記端末のコントロールプレーンセッションを確立するように指示する第１の実行モジュールと、
非アクセス層メッセージを介して前記端末との間でデータ伝送を行う伝送モジュールと、
を含むことを特徴とするアクセスおよび移動管理機能エンティティ。
【請求項５２】
セッション確立を行うセッション管理機能エンティティであって、
端末によって送信されるセッション確立要求を受信し、アクセスおよび移動管理機能エンティティによって送信される、前記端末のコントロールプレーンセッションを確立するための指示情報を受信する第２の受信モジュールと、
ユーザプレーン機能エンティティに下りデータを伝送するためのトンネル情報を指示する第２の実行モジュールと、
を含むことを特徴とするセッション管理機能エンティティ。
【請求項５３】
セッション確立を行う端末であって、
端末がアクセスおよび移動管理機能エンティティにセッション確立要求メッセージを送信することに用いられる送信モジュールと、
前記アクセスおよび移動管理機能エンティティとのコントロールプレーンセッションを確立する第３の実行モジュールと、
コントロールプレーンセッションを介して前記アクセスおよび移動管理機能エンティティとデータ伝送を行うことに用いられる第２の伝送モジュールと、
を含むことを特徴とする端末。
【請求項５４】
セッション確立を行うための読み取り可能な記憶媒体であって、
プログラムコードを含み、
前記プログラムコードがコンピュータ装置上で実行される際、前記プログラムコードは前記コンピュータ装置に請求項１から１１のいずれかに記載の方法におけるステップまたは請求項１２から２０のいずれかに記載の方法または請求項２１から２５のいずれかに記載の方法におけるステップを実行させる、
ことを特徴とする読み取り可能な記憶媒体。
【発明の詳細な説明】
【技術分野】
【０００１】
関連出願の相互参照
本出願は、２０１７年１２月２５日に中国特許局に提出し、出願番号が２０１７１１４２１３３５．０であり、発明名称が「セッションを確立するための方法および装置」との中国特許出願を基礎とする優先権を主張し、その開示の総てをここに取り込む。
【０００２】
本発明は、通信技術分野に関し、特にセッションを確立するための方法および装置に関する。
【背景技術】
【０００３】
水道メーター、電気メーターなどのＣＩｏＴ（Ｃｅｌｌｕｌａｒ  Ｉｎｔｅｒｎｅｔ  ｏｆ  Ｔｈｉｎｇｓ、セルラーモノのインターネット）アプリケーションの小規模なデータ伝送を支援するために、３ＧＰＰ（３ｒｄ  Ｇｅｎｅｒａｔｉｏｎ  Ｐａｒｔｎｅｒｓｈｉｐ  Ｐｒｏｊｅｃｔ、第３世代パートナーシッププロジェクト）はＲ１３でＣｏｎｔｒｏｌ  Ｐｌａｎｅ（コントロールプレーンセッション）のデータ伝送方法を定義した。この方法は、ＮＡＳ（Ｎｏｎ  Ａｃｃｅｓｓ  Ｓｔｒａｔｕｍ、非アクセス層）メッセージを介して端末とＭＭＥ（Ｍｏｂｉｌｉｔｙ  Ｍａｎａｇｅｍｅｎｔ  Ｅｎｔｉｔｙ、移動管理エンティティ）との間でデータを伝送し、ＵｕインターフェースのＤＲＢ（Ｄａｔａ  Ｒａｄｉｏ  Ｂｅａｒｅｒ、データ無線ベアラ）及びＳ１−Ｕ接続の確立を行わない。
【０００４】
４Ｇネットワークアーキテクチャーに比べ、５Ｇネットワークアーキテクチャーにおいて、大きな変化が発生したが、主に次のように反映される。（１）、サービス化インターフェースのネットワークアーキテクチャーに基づき、５Ｇコアネットワークにおいてコントロールプレーンネットワーク要素間はサービス化インターフェースを用い、例えばＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ、アクセスおよび移動管理機能）とＳＭＦ（Ｓｅｓｓｉｏｎ  Ｍａｎａｇｅｍｅｎｔ  Ｆｕｎｃｔｉｏｎ、セッション管理機能）との間でサービス化インターフェースを用いる。（２）、ＭＭ（Ｍｏｂｉｌｉｔｙ  Ｍａｎａｇｅｍｅｎｔ、移動管理）とＳＭ（Ｓｅｓｓｉｏｎ  Ｍａｎａｇｅｍｅｎｔ、セッション管理）を分離し、ＡＭＦはＭＭ機能を司り、ＳＭＦはＳＭ機能を司る。（３）、ＣＰ（Ｃｏｎｔｒｏｌ  Ｐｌａｎｅ、コントロールプレーン）とＵＰ（Ｕｓｅｒ  Ｐｌａｎｅ、ユーザプレーン）を分離し、ユーザプレーン機能（Ｕｓｅｒ  Ｐｌａｎｅ  Ｆｕｎｃｔｉｏｎ、ＵＰＦ）はユーザプレーン（ＵＰ）ネットワーク要素、ＡＭＦ／ＳＭＦなどはコントロールプレーン（ＣＰ）ネットワーク要素である。Ｒ１５は端末とネットワークとの間のユーザプレーン（Ｕｓｅｒ  Ｐｌａｎｅ）接続を確立するためのＰＤＵ  Ｓｅｓｓｉｏｎ（Ｐｒｏｔｏｃｏｌ  Ｄａｔａ  Ｕｎｉｔ  Ｓｅｓｓｉｏｎ、プロトコルデータユニットセッション）確立プロセスを含む５Ｇの基本アーキテクチャーおよびフローを定義したが、従来のＰＤＵ  Ｓｅｓｓｉｏｎ確立プロセスはＣｏｎｔｒｏｌ  Ｐｌａｎｅ  ＰＤＵ（コントロールプレーンプロトコルデータユニット）セッションの確立をサポートしない。
【０００５】
要するに、従来技術の４Ｇネットワークにおけるコントロールプレーンセッションの確立によるデータ伝送の方法は、５Ｇネットワークに適しない。
【発明の概要】
【発明が解決しようとする課題】
【０００６】
本発明はセッションを確立する方法および装置を開示し、従来技術の４Ｇネットワークにおいて確立されたコントロールプレーンデータ伝送方法が５Ｇネットワークに適しない問題を解決する。
【課題を解決するための手段】
【０００７】
本発明はセッションを確立する方法を提供し、当該方法は、
アクセスおよび移動管理機能エンティティは端末から送信されるセッション確立要求を受信することと、
前記アクセスおよび移動管理機能エンティティは前記端末のためにコントロールプレーンセッションを確立することを確定することと、
前記アクセスおよび移動管理機能エンティティはセッション管理機能エンティティに前記端末のコントロールプレーンセッションを確立するように指示することと、
前記アクセスおよび移動管理機能エンティティと前記端末との間で非アクセス層メッセージを介してデータ伝送を行うことと、を含む。
【０００８】
本発明はもう１つのセッションを確立する方法を提供し、当該方法は、
セッション管理機能エンティティは端末から送信されるセッション確立要求を受信することと、
前記セッション管理機能エンティティはアクセスおよび管理機能エンティティから送信される、端末のコントロールプレーンセッションを確立するための指示情報を受信することと、
前記セッション管理機能エンティティはユーザプレーン機能エンティティに下りデータを伝送するためのトンネル情報を指示することと、を含む。
【０００９】
本発明はセッションを確立する方法を提供し、当該方法は、
端末はアクセスおよび移動管理機能エンティティにセッション確立要求メッセージを送信することと、
前記端末と前記アクセスおよび移動管理機能エンティティとはコントロールプレーンセッションを確立することと、
前記端末と前記アクセスおよび移動管理機能エンティティとはコントロールプレーンセッションを介してデータ伝送を行うことと、を含む。
【００１０】
本発明はセッション確立を行うアクセスおよび移動管理機能エンティティを提供し、当該アクセスおよび移動管理機能エンティティは、プロセッサ、メモリおよび送受信機を含み、
そのうち、プロセッサはメモリ内のプログラムを読み取って以下の、
端末から送信されるセッション確立要求を前記送受信機により受信し、前記端末のコントロールプレーンセッションを確立することを確定し、前記送受信機によりセッション管理機能エンティティに前記端末のコントロールプレーンセッションを確立するように指示し、前記送受信機により非アクセス層メッセージを介して端末との間でデータ伝送を行う、ことを実行する。
【００１１】
本発明はセッション確立を行うセッション管理機能エンティティを提供し、当該セッション管理機能エンティティは、プロセッサ、メモリおよび送受信機を含み、
そのうち、プロセッサはメモリ内のプログラムを読み取って以下の、
端末によって送信されるセッション確立要求を前記送受信機により受信し、アクセスおよび移動管理機能エンティティによって送信される、前記端末のコントロールプレーンセッションを確立するための指示情報を前記送受信機により受信し、前記送受信機によりユーザプレーン機能エンティティに下りデータを伝送するためのトンネル情報を指示する、ことを実行する。
【００１２】
本発明はセッション確立を行うアクセスおよび移動管理機能エンティティを提供し、当該アクセスおよび移動管理機能エンティティは、
端末によって送信されるセッション確立要求を受信する第１の受信モジュールと、
前記端末のためにコントロールプレーンセッションを確立することを確定し、セッション管理機能エンティティに前記端末のコントロールプレーンセッションを確立するように指示する第１の実行モジュールと、
非アクセス層メッセージを介して前記端末との間でデータ伝送を行う伝送モジュールと、を含む。
【００１３】
本発明はセッション確立を行うセッション管理機能エンティティを提供し、当該セッション管理機能エンティティは、
端末によって送信されるセッション確立要求を受信し、アクセスおよび移動管理機能エンティティによって送信される、前記端末のコントロールプレーンセッションを確立するための指示情報を受信する第２の受信モジュールと、
ユーザプレーン機能エンティティに下りデータを伝送するためのトンネル情報を指示する第２の実行モジュールと、を含む。
【００１４】
本発明はセッション確立を行う端末を提供し、当該端末は、
端末がアクセスおよび移動管理機能エンティティにセッション確立要求メッセージを送信することに用いられる送信モジュールと、
前記アクセスおよび移動管理機能エンティティとのコントロールプレーンセッションを確立する第３の実行モジュールと、
コントロールプレーンセッションを介して前記アクセスおよび移動管理機能エンティティとデータ伝送を行うことに用いられる第２の伝送モジュールと、
を含む。
【００１５】
本発明はセッション確立を行うための読み取り可能な記憶媒体を提供し、当該記憶媒体はプログラムコードを含み、前記プログラムコードがコンピュータ装置上で実行される際、前記プログラムコードは前記コンピュータ装置にアクセスおよび移動管理機能エンティティの前記いずれかの方法におけるステップまたはセッション管理機能エンティティの前記いずれかの方法におけるステップまたは端末の前記いずれかの方法におけるステップを実行させる。
【発明の効果】
【００１６】
本発明の実施例に係るアクセスおよび移動管理機能エンティティは端末によって送信されるセッション確立要求を受信した後、セッション管理機能エンティティに前記端末のためにコントロールプレーンセッションを確立するように指示し、前記セッション管理機能エンティティはユーザプレーン機能エンティティに下りデータを伝送するためのトンネル情報を指示し、データを伝送する必要がある時に、前記アクセスおよび移動管理機能エンティティと端末との間で非アクセス層メッセージを介してデータ伝送を行う。本発明では、データ伝送の必要がある時に、前記アクセスおよび移動管理機能エンティティと端末との間で非アクセス層メッセージを介してデータ伝送を行うため、５Ｇネットワークにおけるコントロールプレーンのデータ伝送に適する。
【図面の簡単な説明】
【００１７】
本出願に係る実施例の技術案をより明確に説明するために、以下に実施例を説明するために必要な図面について簡単に紹介する。勿論、以下の説明における図面は本出願に係る実施例の一部であり、当業者は、創造性作業を行わないことを前提として、これらの図面に基づいて他の図面を得ることができる。
【００１８】
【図１】本発明の実施例に係るシステム構成を示す概略図である。
【図２】５Ｇネットワークのアーキテクチャーを示す概略図である。
【図３】本発明の実施例に係るアクセスおよび移動管理機能エンティティの構成を示す概略図である。
【図４】本発明の実施例に係るセッション管理機能エンティティの構成を示す概略図である。
【図５】本発明の実施例に係る端末の構成を示す概略図である。
【図６】本発明の実施例に係るもう１つのアクセスおよび移動管理機能エンティティの構成を示す概略図である。
【図７】本発明の実施例に係るもう１つのセッション管理機能エンティティの構成を示す概略図である。
【図８】本発明の実施例に係るもう１つの端末の構成を示す概略図である。
【図９】本発明の実施例に係るアクセスおよび移動管理機能エンティティ側の方法のフローを示す概略図である。
【図１０】本発明の実施例に係るセッション管理機能エンティティ側の方法のフローを示す概略図である。
【図１１】本発明の実施例に係るセッション端末側の方法のフローを示す概略図である。
【図１２】本発明の実施例に係るアクセスおよび移動管理機能エンティティと端末との間で非アクセス層移動セッション管理メッセージを介してデータ伝送を行う完全なフローを示す概略図である。
【図１３】本発明の実施例に係るアクセスおよび移動管理機能エンティティにより端末と下りデータ伝送を行う完全なフローを示す概略図である。
【図１４】本発明の実施例に係るアクセスおよび移動管理機能エンティティと端末との間で非アクセス層セッション管理メッセージを介してデータ伝送を行う完全なフローを示す概略図である。
【図１５】本発明の実施例に係るセッション管理機能エンティティにより端末と下りデータ伝送を行う完全なフローを示す概略図である。
【発明を実施するための形態】
【００１９】
本発明に係る実施例の目的、技術案及びメリットをより明確にするため、以下、本発明に係る実施例の図面を参考にしながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００２０】
図１に示すように、本発明の実施例に係るセッション確立を行うためのシステムは、アクセスおよび移動管理機能エンティティ１００とセッション管理機能エンティティ１０１とを含む。
【００２１】
アクセスおよび移動管理機能エンティティ１００は、端末によって送信されるセッション確立要求を受信し、端末のコントロールプレーンセッションを確立することを確定し、セッション管理機能エンティティに前記端末のためのコントロールプレーンセッションを確立するように指示し、非アクセス層メッセージを介して端末とのデータ伝送を行う。
【００２２】
セッション管理機能エンティティ１０１は、端末によって送信されるセッション確立要求を受信し、アクセスおよび移動管理機能エンティティによって送信される、前記端末とのコントロールプレーンセッションを確立するための指示情報を受信し、下りデータを伝送するためのトンネル情報をユーザプレーン機能エンティティに指示する。
【００２３】
端末１０２は、アクセスおよび移動管理機能エンティティにセッション確立要求メッセージを送信し、前記アクセスおよび移動管理機能エンティティとのコントロールプレーンセッションを確立し、コントロールプレーンセッションを介して前記アクセスおよび移動管理機能エンティティとのデータ伝送を行う。
【００２４】
本発明に係る実施例において、アクセスおよび移動管理機能エンティティは端末によって送信されるセッション確立要求を受信した後、セッション管理機能エンティティに前記端末のコントロールプレーンセッションを確立するように指示し、前記セッション管理機能エンティティは下りデータを伝送するためのトンネル情報をユーザプレーン機能エンティティに指示し、データを伝送する必要がある時、前記アクセスおよび移動管理機能エンティティと端末との間は非アクセス層メッセージを介してデータ伝送を行う。本発明は、データを伝送する必要がある時、前記アクセスおよび移動管理機能エンティティと端末との間は非アクセス層メッセージを介してデータ伝送を行うため、５Ｇネットワークにおけるコントロールプレーンデータの伝送に適する。
【００２５】
図２に示すように、５Ｇネットワークアーキテクチャーに基づき、本発明に係る実施例はコントロールプレーンセッション確立によるデータ伝送の２つの方法を提供し、１つは、非アクセス層移動管理メッセージを介して前記アクセスおよび移動管理機能エンティティと端末との間でデータ伝送を行う方法であり、もう１つは非アクセス層セッション管理メッセージを介して前記アクセスおよび移動管理機能エンティティと端末との間でデータ伝送を行う方法である。
【００２６】
１、非アクセス層移動管理メッセージを介して前記アクセスおよび移動管理機能エンティティと端末との間でデータ伝送を行うことは以下の通りである。
【００２７】
端末はセッションを確立する必要がある場合、アクセスおよび移動管理機能エンティティにセッション確立要求を送信し、ここで、前記セッション確立要求は非アクセス層メッセージ内に配置される。
【００２８】
それに対応して、前記アクセスおよび移動管理機能エンティティは端末によって送信されたセッション確立要求を受信した後、前記端末に対して登録を行う過程における当該端末とのネゴシエーション結果によって前記セッションタイプがコントロールプレーンセッションであると確定し、かつ前記セッション管理機能エンティティに前記端末のためのコントロールプレーンセッションを確立するための指示情報および前記アクセスおよび移動管理機能エンティティのトンネル情報を指示する。
【００２９】
ここで、前記アクセスおよび移動管理機能エンティティのトンネル情報はユーザプレーン機能エンティティによって移動管理機能エンティティに下りデータを送信するために用いられる。
【００３０】
それに対応して、前記セッション管理機能エンティティはアクセスおよび移動管理機能エンティティによって送信された、前記端末のコントロールプレーンセッションを確立するための指示情報およびアクセスおよび移動管理機能エンティティのトンネル情報を受信した後、下りデータを伝送するためのアクセスおよび移動管理機能エンティティによって提供されるトンネル情報をユーザプレーン機能エンティティに指示する。
【００３１】
ユーザプレーン機能エンティティが指示受信応答を返すと、前記セッション管理機能エンティティは前記アクセスおよび移動管理機能エンティティに前記セッションのサービス品質情報を指示する。
【００３２】
それに対応して、前記アクセスおよび移動管理機能エンティティは前記セッション管理機能エンティティによって指示された前記セッションのサービス品質情報を受信する。ここで、前記セッションのサービス品質情報にはユーザプレーン機能エンティティのトンネル情報が含まれている。
【００３３】
ここで説明すべきことは、前記セッション管理機能エンティティが前記アクセスおよび移動管理機能エンティティに送信したユーザプレーン機能エンティティのトンネル情報は前記セッション管理機能エンティティ自らによって割り当てられてもよく、ユーザプレーン機能エンティティによって割り当てられてもよいが、前記ユーザプレーン機能エンティティのトンネル情報がユーザプレーン機能エンティティによって割り当てられる場合、前記ユーザプレーン機能エンティティは前記ユーザプレーン機能エンティティのトンネル情報を指示受信応答に配置して前記セッション管理機能エンティティに提供する必要がある。
【００３４】
前記アクセスおよび移動管理機能エンティティは端末に非アクセス層アクセスメッセージを送信し、それに応じて、前記端末は前記アクセスおよび移動管理機能エンティティによって送信された非アクセス層応答メッセージを受信した後、前記端末は前記アクセスおよび移動管理機能エンティティに非アクセス層確認メッセージを送信する。
【００３５】
この際、コントロールプレーンセッションの確立が完了し、前記アクセスおよび移動管理機能エンティティと端末との間は非アクセス層移動管理メッセージを介してデータ伝送を行う。
【００３６】
前記端末がアイドル状態にある場合、下りデータがユーザプレーン機能エンティティに到着すると、前記セッション管理機能エンティティは前記端末のセッションのコンテキスト情報に基づき、セッションタイプがコントロールプレーンセッションであると確定し、なお当該セッションに対応するユーザプレーン機能エンティティのトンネル情報を前記アクセスおよび移動管理機能エンティティに指示する。
【００３７】
前記アクセスおよび移動管理機能エンティティはユーザプレーン機能エンティティのトンネル情報を受信した後、自身のトンネル情報をセッション管理機能エンティティに送信し、前記セッション管理機能エンティティは前記アクセスおよび移動管理機能エンティティのトンネル情報をユーザプレーン機能エンティティに転送する。下りデータは前記アクセスおよび移動管理機能エンティティに送信してもよく、前記アクセスおよび移動管理機能エンティティは非アクセス層メッセージを介して下りデータを端末に送信する。
【００３８】
２、非アクセス層セッション管理メッセージを介して前記アクセスおよび移動管理機能エンティティと端末との間でデータ伝送を行うことは以下の通りである。
【００３９】
端末はセッションを確立する必要がある場合、アクセスおよび移動管理機能エンティティにセッション確立要求を送信し、ここで、前記セッション確立要求は非アクセス層メッセージ内に配置される。
【００４０】
それに対応して、前記アクセスおよび移動管理機能エンティティは端末によって送信されたセッション確立要求を受信した後、前記端末に対して登録を行う過程における当該端末とのネゴシエーション結果によって前記セッションタイプがコントロールプレーンセッションであると確定し、なお前記端末のコントロールプレーンセッションを確立するための指示を前記セッション管理機能エンティティに指示する。
【００４１】
それに対応して、前記セッション管理機能エンティティはアクセスおよび移動管理機能エンティティによって送信された、前記端末のコントロールプレーンセッションを確立するための指示情報を受信した後、下りデータを伝送するための、セッション管理機能エンティティによって提供されたトンネル情報をユーザプレーン機能エンティティに指示する。
【００４２】
それに対応して、前記アクセスおよび移動管理機能エンティティは前記セッション管理機能エンティティによって指示された前記セッションのサービス品質情報を受信する。
【００４３】
ここで説明すべきことは、前記ユーザプレーン機能エンティティトンネル情報がユーザプレーン機能エンティティによって割り当てられる場合、前記ユーザプレーン機能エンティティは前記ユーザプレーン機能エンティティトンネル情報を前記セッション管理機能エンティティに提供する必要がある。
【００４４】
それに対応して、コントロールプレーンセッションが確立されると、前記アクセスおよび移動管理機能エンティティと端末との間は非アクセス層セッション管理メッセージを介してデータ伝送を行い、前記アクセスおよび移動管理機能エンティティとユーザプレーン機能エンティティとの間はトンネル情報を介してデータ伝送を行う。
【００４５】
前記アクセスおよび移動管理機能エンティティは端末に非アクセス層アクセスメッセージを送信し、それに応じて、前記端末は前記アクセスおよび移動管理機能エンティティの間で送信された非アクセス層応答メッセージを受信した後、前記端末は前記アクセスおよび移動管理機能エンティティに非アクセス層確認メッセージを送信する。
【００４６】
この際、コントロールプレーンセッションの確立が完了し、前記アクセスおよび移動管理機能エンティティと端末との間は非アクセス層セッション管理メッセージを介してデータ伝送を行い、前記アクセスおよび移動管理機能エンティティとセッション管理機能エンティティとの間は非アクセス層セッション管理メッセージの伝送を行う。
【００４７】
前記端末がアイドル状態にある場合、下りデータがユーザプレーン機能エンティティに到着すると、前記セッション管理機能エンティティは前記端末のセッションコンテキスト情報によって、セッションタイプがコントロールプレーンセッションであると確定し、なおセッション管理機能エンティティのトンネル情報を前記ユーザプレーン機能エンティティに指示し、下りデータはセッション管理機能エンティティに送信してもよい。
【００４８】
前記セッション管理機能エンティティは前記アクセスおよび移動管理機能エンティティに下りデータを送信し、前記アクセスおよび移動管理機能エンティティは非アクセス層メッセージを介して端末に下りデータを送信する。
【００４９】
以下、本発明の実施例に係る上記２つのコントロールプレーンセッション確立によるデータ伝送の方法について、詳細に説明する。
【００５０】
１、非アクセス層セッション管理メッセージを介して前記アクセスおよび移動管理機能エンティティと端末との間でデータ伝送を行うことは以下の通りである。
【００５１】
端末はアクセスおよび移動管理機能エンティティにＰＤＵセッションを確立するための非アクセス層要求メッセージを送信し、ここで、前記非アクセス層要求メッセージは端末によって割り当てられるＰＤＵセッションを確立するためのＩＤ（ｉｄｅｎｔｉｆｉｃａｔｉｏｎ、身分証明）およびＰＤＵセッション確立要求を含む。
【００５２】
それに対応して、前記アクセスおよび移動管理機能エンティティは端末からの非アクセス層要求メッセージを受信した後、前記非アクセス層要求メッセージが新規ＰＤＵセッションのメッセージであると確定し、かつ端末登録過程における端末とのネゴシエーション結果によって、端末のためのコントロールプレーンセッションを確立する必要があるか否かを判定し、前記ネゴシエーション結果がＣｏｎｔｒｏｌ  Ｐｌａｎｅ  ＣＩｏＴ  ＥＰＳ  ｏｐｔｉｍｉｓａｔｉｏｎ（コントロールプレーンセルラーモノのインターネット進化型パケットシステム最適化）である場合、端末のためにコントロールプレーンセッションを確立する。
【００５３】
前記アクセスおよび移動管理機能は端末のためのコントロールプレーンを確立すると確定した後、アクセスおよび移動管理機能エンティティにアクセスおよび移動管理機能要求メッセージを送信する。
【００５４】
ここで、前記アクセスおよび移動管理機能エンティティサービス要求メッセージには前記アクセスおよび移動管理機能ＩＤ、ＰＤＵセッションを確立するためのＩＤ、ＰＤＵセッション確立要求、コントロールプレーンセッションを確立するための指示情報およびアクセスおよび移動管理機能エンティティのトンネル情報が含まれ、前記アクセスおよび移動管理機能エンティティのトンネル情報はユーザプレーン機能エンティティがアクセスおよび移動管理機能エンティティに下りデータを伝送するために用いられる。
【００５５】
それに対応して、前記アクセスおよび移動管理機能エンティティはアクセスおよび移動管理機能エンティティサービス要求メッセージを受信した後、ＵＤＭ（Ｕｎｉｆｉｅｄ  Ｄａｔａ  Ｍａｎａｇｅｍｅｎｔ、統合データ管理機能）サービスを要求するとともに、前記ＵＤＭエンティティからＰＤＵセッションの関連契約情報を取得し、前記アクセスおよび移動管理機能エンティティはＰＣＦ（Ｐｏｌｉｃｙ  Ｃｏｎｔｒｏｌ  Ｆｕｎｃｔｉｏｎ、ポリシーコントロール機能）サービスを要求するとともに、前記ＰＣＦからＰＤＵセッションの関連ＰＣＣルールを取得する。
【００５６】
前記アクセスおよび移動管理機能エンティティはＰＤＵセッションの関連契約情報および関連ＰＣＣルールを取得した後、前記アクセスおよび移動管理機能エンティティのトンネル情報およびｐａｃｋｅｔ  ｄｅｔｅｃｔｉｏｎ（パケット検出）などのルールをＮ４セッション確立要求メッセージに配置し、選択されたユーザプレーン機能エンティティに送信する。
【００５７】
前記アクセスおよび移動管理機能エンティティは前記ユーザプレーン機能エンティティによって送信されたＮ４セッション確立応答メッセージを受信した後、アクセスおよび移動管理機能エンティティがユーザプレーン機能エンティティに上りデータを送信するためのユーザプレーン機能エンティティのトンネル情報、ＰＤＵセッションＩＤおよびＰＤＵセッション確立応答メッセージをセッションのサービス品質情報に配置して前記アクセスおよび移動管理機能エンティティに送信する。
【００５８】
前記アクセスおよび移動管理機能エンティティがセッション確立を行う際にＱｏＳ（Ｑｕａｌｉｔｙ  ｏｆ  Ｓｅｒｖｉｃｅ、サービス品質）設定を行う必要があるが、前記アクセスおよび移動管理機能エンティティはＱｏＳ設定を確立するための既知の設定パラメーターを有せず、アクセスおよび移動管理機能エンティティより提供する必要があるため、前記Ｎ４セッション確立応答メッセージにはさらにＱｏＳ設定用の設定パラメーターが含まれる。
【００５９】
それに対応して、前記アクセスおよび移動管理機能エンティティはＲＡＮ（Ｒａｄｉ  Ａｃｃｅｓｓ  Ｎｅｔｗｏｒｋ、無線アクセスネットワーク）にＮ２要求メッセージを送信し、ここで、前記アクセスおよび移動管理機能エンティティサービス要求応答メッセージには非アクセス層メッセージ（すなわちＰＤＵセッションＩＤおよびＰＤＵセッション確立応答メッセージ）が含まれる。
【００６０】
前記ＲＡＮは前記アクセスおよび移動管理機能エンティティによって送信されたＮ２要求メッセージを受信した後、ＲＲＣメッセージを介して前記アクセスおよび移動管理機能サービス要求応答メッセージ中の非アクセス層メッセージを端末に送信する。
【００６１】
前記端末エンティティは無線アクセスネットワークＲＡＮによって送信された非アクセス層ｍｅｓｓａｇｅ（情報）を受信した後、ＲＲＣ（Ｒａｄｉｏ  Ｒｅｓｏｕｒｃｅ  Ｃｏｎｔｒｏｌ、無線リソースコントロール）メッセージを介して前記ＲＡＮにＰＤＵセッションを確立するための非アクセス層応答メッセージを返し、この際、端末はコントロールプレーンセッション確立を完了する。
【００６２】
それに対応して、コントロールプレーンセッションが確立されると、前記アクセスおよび移動管理機能エンティティと端末との間は非アクセス層移動管理メッセージを介してデータ伝送を行う。
【００６３】
１、前記端末がアイドル状態にあり、下りデータがユーザプレーン機能エンティティに到着した場合は以下になる。
【００６４】
前記ユーザプレーン機能エンティティのユーザプレーン機能により、下りデータを送信するためのパスがない事実を検出した場合、前記ユーザプレーン機能エンティティはアクセスおよび移動管理機能エンティティにデータ通知要求メッセージを送信し、当該メッセージにＰＤＵセッションＩＤが含まれている。
【００６５】
それに対応して、前記アクセスおよび移動管理機能エンティティはデータ通知要求メッセージを受信した後、前記端末のセッションコンテキスト情報によって、セッションタイプがコントロールプレーンセッションであると確定し、なお前記アクセスおよび移動管理機能エンティティにアクセスおよび移動管理機能エンティティのサービス要求メッセージを送信し、ここで、前記アクセスおよび移動管理機能エンティティサービス要求メッセージにはＰＤＵセッションＩＤ、前記ユーザプレーン機能エンティティトンネル情報が含まれている。
【００６６】
それに対応して、前記アクセスおよび移動管理機能エンティティはアクセスおよび移動管理機能エンティティのアクセスおよび移動管理機能サービス要求メッセージを受信した後、前記アクセスおよび移動管理機能エンティティのトンネル情報をアクセスおよび移動管理機能エンティティサービス要求メッセージに配置して前記アクセスおよび移動管理機能エンティティに送信する。
【００６７】
前記アクセスおよび移動管理機能エンティティはアクセスおよび移動管理機能エンティティによって送信されたアクセスおよび移動管理機能エンティティトンネル情報を受信した後、Ｎ４セッション下りデータメッセージを介して前記アクセスおよび移動管理機能エンティティトンネル情報を前記ユーザプレーン機能エンティティに送信する。
【００６８】
それに対応して、前記ユーザプレーン機能エンティティは受信した下りデータを、前記アクセスおよび移動管理機能エンティティのトンネル情報を介して前記アクセスおよび移動管理機能エンティティに送信し、前記アクセスおよび移動管理機能エンティティは前記ユーザプレーン機能エンティティによって送信された下りデータを受信した後、ＲＮＡを介して端末にページングを送信する。
【００６９】
前記端末はＲＮＡから送信されたページングを受信した後、ＲＲＣメッセージを介して前記ＲＮＡにコントロールプレーンセッション要求を送信し、前記ＲＮＡは前記コントロールプレーンセッション要求を前記アクセスおよび移動管理機能エンティティに送信し、前記端末と前記アクセスおよび移動管理機能エンティティとの間で接続を確立する。
【００７０】
それに対応して、前記アクセスおよび移動管理機能エンティティは受信した下りデータに対して暗号化かつ保全性保護を行い、また前記下りデータを前記端末に送信する。
【００７１】
ここで説明すべきことは、前記アクセスおよび移動管理機能エンティティが前記アクセスおよび移動管理機能エンティティにアクセスおよび移動管理機能エンティティサービス要求メッセージを送信すること、および前記ユーザプレーン機能エンティティが受信した下りデータを前記アクセスおよび移動管理機能エンティティトンネル情報を介して前記アクセスおよび移動管理機能エンティティに送信することは、前記端末と前記アクセスおよび移動管理機能エンティティとのの間で接続を確立した後に実行してもよい。
【００７２】
２、前記下りデータを送信するためのトンネル情報がアクセスおよび移動管理機能エンティティトンネル情報である場合は以下になる。
【００７３】
端末はアクセスおよび移動管理機能エンティティにＰＤＵセッションを確立するための非アクセス層要求情報を送信し、ここで、前記非アクセス層要求メッセージには端末によって割り当てられたＰＤＵセッションを確立するためのＩＤおよびＰＤＵセッション確立要求が含まれている。
【００７４】
それに対応して、前記アクセスおよび移動管理機能エンティティは端末からの非アクセス層要求情報を受信した後、前記非アクセス層要求メッセージが新規ＰＤＵセッションのメッセージであると確定し、かつ端末登録過程における端末とのネゴシエーション結果によって、端末のためのコントロールプレーンセッションを確立する必要があるか否かを判定し、前記ネゴシエーション結果がＣｏｎｔｒｏｌ  Ｐｌａｎｅ  ＣＩｏＴ  ＥＰＳ  ｏｐｔｉｍｉｓａｔｉｏｎである場合、端末のためにコントロールプレーンセッションを確立する。
【００７５】
前記アクセスおよび移動管理機能は端末のコントロールプレーンセッションを確立すると確定した後、アクセスおよび移動管理機能エンティティにアクセスおよび移動管理機能サービス要求メッセージを送信し、ここで、前記アクセスおよび移動管理機能エンティティサービス要求メッセージには前記アクセスおよび移動管理機能ＩＤ、ＰＤＵセッションを確立するためのＩＤ、ＰＤＵセッション確立要求、コントロールプレーンセッションを確立するための指示情報が含まれている。
【００７６】
それに対応して、前記アクセスおよび移動管理機能エンティティはアクセスおよび移動管理機能サービス要求メッセージを受信した後、ＵＤＭにサービスを要求するとともに前記ＵＤＭからＰＤＵセッションの関連契約情報を取得し、前記アクセスおよび移動管理機能エンティティはＰＣＦにサービスを要求するとともに、前記ＰＣＦからＰＤＵセッションの関連ＰＣＣルールを取得する。
【００７７】
前記アクセスおよび移動管理機能エンティティはＰＤＵセッションの関連契約情報および関連ＰＣＣルールを取得した後、アクセスおよび移動管理機能エンティティトンネル情報およびｐａｃｋｅｔ  ｄｅｔｅｃｔｉｏｎなどのルールをＮ４セッション確立要求メッセージ内に配置し、選択されたユーザプレーン機能エンティティに送信する。
【００７８】
前記アクセスおよび移動管理機能エンティティは前記ユーザプレーン機能エンティティによって送信されたＮ４セッション確立応答メッセージを受信した後、ＰＤＵセッションＩＤおよびＰＤＵセッション確立応答メッセージをアクセスおよび移動管理機能サービス要求応答メッセージ内に配置して前記アクセスおよび移動管理機能エンティティに送信する。
【００７９】
それに対応して、前記アクセスおよび移動管理機能エンティティはＲＡＮにＮ２要求メッセージを送信し、ここで、前記Ｎ２要求に非アクセス層メッセージ（すなわちＰＤＵセッションＩＤおよびＰＤＵセッション確立応答メッセージ）が含まれている。
【００８０】
前記ＲＡＮは前記アクセスおよび移動管理機能エンティティによって送信されたＮ２要求メッセージを受信した後、ＲＲＣメッセージを介して前記Ｎ２要求メッセージにおける非アクセス層メッセージを端末に送信する。
【００８１】
前記端末エンティティは無線アクセスネットワークＲＡＮによって送信された非アクセス層ｍｅｓｓａｇｅを受信した後、ＲＲＣメッセージを介して前記ＲＡＮにＰＤＵセッションを確立するための非アクセス層応答メッセージを返し、この際、コントロールプレーンセッションの確立が完了する。
【００８２】
ユーザプレーン機能エンティティが前記端末にデータを送信する必要がある場合、前記ユーザプレーン機能エンティティは前記アクセスおよび移動管理機能エンティティトンネル情報を介して前記アクセスおよび移動管理機能エンティティに送信し、前記アクセスおよび移動管理機能エンティティは前記データを前記端末に送信する。
【００８３】
１、前記端末がアイドル状態にあり、下りデータがユーザプレーン機能エンティティに到着した場合は以下になる。
【００８４】
前記ユーザプレーン機能エンティティのユーザプレーン機能により、下りデータを送信するためのパスがないことを検出した場合、前記ユーザプレーン機能エンティティはアクセスおよび移動管理機能エンティティにデータ通知要求メッセージを送信し、当該メッセージにＰＤＵセッションＩＤが含まれている。
【００８５】
それに対応して、前記アクセスおよび移動管理機能エンティティはデータ通知要求メッセージを受信した後、前記端末のセッションコンテキスト情報によって、セッションタイプがコントロールプレーンセッションであると確定し、Ｎ４セッション下りデータを介してアクセスおよび移動管理機能エンティティのンネル情報を前記ユーザプレーン機能エンティティに送信する。
【００８６】
それに対応して、前記アクセスおよび移動管理機能エンティティはアクセスおよび移動管理機能のアクセスおよび移動管理機能サービス要求メッセージを受信した後、前記アクセスおよび移動管理機能エンティティトンネル情報をアクセスおよび移動管理機能エンティティサービス要求メッセージに配置して前記アクセスおよび移動管理機能エンティティに送信する。
【００８７】
前記アクセスおよび移動管理機能エンティティはアクセスおよび移動管理機能エンティティによって送信されたアクセスおよび移動管理機能エンティティトンネル情報を受信した後、前記アクセスおよび移動管理機能エンティティトンネル情報を前記ユーザプレーン機能エンティティに送信する。
【００８８】
それに対応して、前記アクセスおよび移動管理機能エンティティは前記ユーザプレーン機能エンティティより前記アクセスおよび移動管理機能エンティティトンネル情報を用いて送信された下りデータを受信した後、前記下りデータをアクセスおよび移動管理機能エンティティサービス要求内に配置してアクセスおよび移動管理機能エンティティに送信する。
【００８９】
前記アクセスおよび移動管理機能エンティティは前記ユーザプレーン機能エンティティによって送信された下りデータを受信した後、ＲＮＡを介して端末にページングを送信する。
【００９０】
前記端末はＲＮＡから送信されたページングを受信した後、ＲＲＣメッセージを介して前記ＲＮＡにコントロールプレーンセッション要求を送信し、前記ＲＮＡは前記Ｃｏｎｔｒｏｌ  Ｐｌａｎｅセッション要求を前記アクセスおよび移動管理機能エンティティに送信し、前記端末と前記アクセスおよび移動管理機能エンティティとの間の接続を確立する。
【００９１】
それに対応して、前記アクセスおよび移動管理機能エンティティは受信した下りデータに対して暗号化かつ保全性保護を行い、なお前記下りデータを前記端末に送信する。
【００９２】
図３に示すように、本発明に係る実施例はセッションを確立するためのアクセスおよび移動管理機能エンティティを提供し、当該アクセスおよび移動管理機能エンティティはプロセッサ３００、メモリ３０１および送受信機３０２を含む。
【００９３】
ここで、プロセッサ３００は、メモリ３０１内のプログラムを読み出して実行し、端末によって送信されたセッション確立要求を受信し、端末のためのコントロールプレーンセッションを確立することを確定し、セッション管理機能エンティティに前記端末のためにコントロールプレーンセッションを確立するように指示し、なお、非アクセス層メッセージを介して端末との間でデータ伝送を行う。
【００９４】
好ましくは、前記プロセッサ３００は具体的には、登録過程において端末とネゴシエーションしてセッションタイプがコントロールプレーンセッションであると確定する。
【００９５】
好ましくは、前記プロセッサ３００はさらに具体的には、前記セッション管理機能エンティティに前記アクセスおよび移動管理機能エンティティのトンネル情報を指示する。
【００９６】
好ましくは、前記アクセスおよび移動管理機能エンティティのトンネル情報は、ユーザプレーン機能エンティティがアクセスおよび移動管理機能エンティティのトンネル情報に下りデータを送信するために用いられる。
【００９７】
好ましくは、前記プロセッサ３００はさらに具体的には、前記セッション管理機能エンティティによって指示されたユーザプレーン機能エンティティのトンネル情報を受信する。
【００９８】
好ましくは、前記ユーザプレーン機能エンティティのトンネル情報は、前記アクセスおよび移動管理機能エンティティがユーザプレーン機能エンティティのトンネル情報に上りデータを送信するために用いられる。
【００９９】
好ましくは、前記プロセッサ３００はさらに具体的には、前記セッション管理機能エンティティによって指示された前記セッションのサービス品質情報を受信する。
【０１００】
好ましくは、前記プロセッサ３００は具体的には、非アクセス層移動管理メッセージを介して端末との間でデータ伝送を行う。
【０１０１】
好ましくは、前記プロセッサ３００はさらに具体的には、トンネル情報を介してユーザプレーン機能エンティティとの間でデータ伝送を行う。
【０１０２】
好ましくは、前記プロセッサ３００は具体的には、非アクセス層セッション管理メッセージを介して端末との間でデータ伝送を行う。
【０１０３】
好ましくは、前記プロセッサ３００はさらに具体的には、セッション管理機能エンティティとの間で非アクセス層セッション管理メッセージの伝送を行う。
【０１０４】
プロセッサ３００はバスアーキテクチャおよび通常の処理を管理し、メモリ３０１はプロセッサ３００が動作する際に利用するデータを記憶する。送受信機３０２はプロセッサ３００の制御下でデータの送受信を行う。
【０１０５】
バスアーキテクチャは任意の数の相互接続するバスおよびブリッジを備える。具体的にはプロセッサ３００が代表する１つまたは複数のプロセッサおよびメモリ３０１が代表するメモリの各種回路により接続される。バスアーキテクチャはさらに、外部設備、電圧レギュレーターおよび電力管理回路等の他の各種回路を互いに接続させることもできる。これらは、当該分野の周知技術であるため、本発明において、詳細に説明しない。バスインターフェースはインターフェースを提供する。プロセッサ３００はバスアーキテクチャおよび通常の処理を管理し、メモリ３０１はプロセッサ３００が動作する際に利用するデータを記憶することができる。
【０１０６】
本発明に係る実施例により開示されるフローは、プロセッサ３００に適用するか、または、プロセッサ３００により実施することができる。実施の過程において、信号処理フローの各々ステップは、プロセッサ３００内のハードウェアの論理集積回路またはソフトウェア形式の指令により完成することができる。プロセッサ３００は、汎用プロセッサ、デジタル信号プロセッサ、専用集積回路、フィールドプログラマブル・ゲートアレイまたは他のプログラマブルロジック・デバイス、ディスクリート・ゲートまたはトランジスタロジック・デバイス、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ３０１に位置し、プロセッサ３００はメモリ３０１内の情報を読み出して、そのハードウェアと協働して信号処理フローのステップを完成する。
【０１０７】
図４に示すように、本発明に係る実施例はセッションを確立するためのセッション管理機能エンティティを提供し、当該セッション管理機能エンティティはプロセッサ４００、メモリ４０１および送受信機４０２を含む。
【０１０８】
ここで、プロセッサ４００は、メモリ４０１内のプログラムを読み出して実行し、端末によって送信されたセッション確立要求を受信し、アクセスおよび移動管理機能エンティティによって送信された、端末のコントロールプレーンセッションを確立するための指示メッセージを受信し、ユーザプレーン機能エンティティに下りデータを伝送するためのトンネル情報を指示する。
【０１０９】
好ましくは、前記プロセッサ４００はさらに具体的には、前記アクセスおよび移動管理機能エンティティによって送信された前記アクセスおよび移動管理機能エンティティのトンネル情報を受信する。
【０１１０】
好ましくは、前記下りデータを伝送するためのトンネル情報はアクセスおよび移動管理機能エンティティによって提供されるトンネル情報、または前記セッション管理機能エンティティのトンネル情報である。
【０１１１】
好ましくは、前記プロセッサ４００はさらに具体的には、前記アクセスおよび移動管理機能エンティティに前記セッションのサービス品質情報を指示する。
【０１１２】
好ましくは、前記プロセッサはさらに具体的には、前記セッション管理機能エンティティが前記アクセスおよび移動管理機能エンティティにユーザプレーン機能エンティティのトンネル情報指示するために用いられる。
【０１１３】
好ましくは、前記プロセッサ４００はさらに具体的には、前記端末のセッションコンテキスト情報によって、セッションタイプがコントロールプレーンセッションであると確定する。
【０１１４】
好ましくは、前記プロセッサ４００は具体的には、前記アクセスおよび移動管理機能エンティティに当該セッションに対応するユーザプレーン機能エンティティのトンネル情報を指示する。
【０１１５】
好ましくは、前記プロセッサ４００はさらに具体的には、非アクセス層セッション管理メッセージを介して前記端末との間でデータ伝送を行う。
【０１１６】
好ましくは、前記プロセッサ４００はさらに具体的には、トンネル情報を介してユーザプレーン機能エンティティとの間でデータ伝送を行う。
【０１１７】
バスアーキテクチャは、任意の数の相互接続するバスおよびブリッジを備える。具体的には、プロセッサ４００が代表する１つまたは複数のプロセッサおよびメモリ４０１が代表するメモリの各種回路により接続される。バスアーキテクチャはさらに、外部設備、電圧レギュレーターおよび電力管理回路等の他の各種回路を互いに接続させることもできる。これらは当該分野の周知技術であるため、本発明において、詳細に説明しない。バスインターフェースはインターフェースを提供する。プロセッサ４００はバスアーキテクチャおよび通常の処理を管理し、メモリ４０１はプロセッサ４００が動作する際に利用するデータを記憶する。
【０１１８】
本発明に係る実施例により開示されたフローは、プロセッサ４００に適用するか、または、プロセッサ４００により実施することができる。実施の過程において、信号処理フローの各々ステップは、プロセッサ４００内のハードウェアの論理集積回路またはソフトウェア形式の指令により完成すれることができる。プロセッサ４００は、汎用プロセッサ、デジタル信号プロセッサ、専用集積回路、フィールドプログラマブル・ゲートアレイまたは他のプログラマブルロジック・デバイス、ディスクリート・ゲートまたはトランジスタロジック・デバイス、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ４０１に位置し、プロセッサ４００はメモリ４０１内の情報を読み出して、そのハードウェアと協働して信号処理フローのステップを完成する。
【０１１９】
図５に示すように、本発明に係る実施例はセッションを確立するための端末を提供し、当該端末はプロセッサ５００、メモリ５０１および送受信機５０２を含み、ここで、プロセッサ５００は、メモリ内のプログラムを読み出して実行し、アクセスおよび移動管理機能エンティティにセッション確立要求メッセージを送信し、前記アクセスおよび移動管理機能エンティティとコントロールプレーンセッションを確立し、コントロールプレーンセッションを介して前記アクセスおよび移動管理機能エンティティとデータ伝送を行う。
【０１２０】
好ましくは、前記プロセッサ５００は具体的には、アクセスおよび移動管理機能エンティティにセッション確立要求メッセージを送信する前に、登録過程において前記アクセスおよび移動管理機能エンティティとネゴシエーションしてセッションタイプがコントロールプレーンセッションであると確定する。
【０１２１】
好ましくは、前記プロセッサ５００は具体的には、前記アクセスおよび移動管理機能エンティティの間で送信された非アクセス層応答メッセージを受信した後、前記アクセスおよび移動管理機能エンティティに非アクセス層確認メッセージを送信する。
【０１２２】
好ましくは、前記プロセッサ５００は具体的には、非アクセス層移動管理メッセージを介して前記アクセスおよび移動管理機能エンティティとの間でデータ伝送を行う。
【０１２３】
好ましくは、前記プロセッサ５００は具体的には、非アクセス層セッション管理メッセージを介して前記アクセスおよび移動管理機能エンティティとの間でデータ伝送を行う。
【０１２４】
バスアーキテクチャは、任意の数の相互接続するバスおよびブリッジを備える。具体的には、プロセッサ５００が代表する１つまたは複数のプロセッサおよびメモリ５０１が代表するメモリの各種回路により接続される。バスアーキテクチャはさらに、外部設備、電圧レギュレーターおよび電力管理回路等の他の各種回路を互いに接続させることもできる。これらは、当該分野の周知技術であるため、本発明において、詳細に説明しない。バスインターフェースはインターフェースを提供する。プロセッサ５００はバスアーキテクチャおよび通常の処理を管理し、メモリ５０１はプロセッサ５００が動作する際に利用するデータを記憶する。
【０１２５】
本発明に係る実施例により開示された流れは、プロセッサ５００に適用するか、または、プロセッサ５００により実施することができる。実施の過程において、信号処理フローの各々ステップは、プロセッサ５００内のハードウェアの論理集積回路またはソフトウェア形式の指令により完成することができる。プロセッサ５００は、汎用プロセッサ、デジタル信号プロセッサ、専用集積回路、フィールドプログラマブル・ゲートアレイまたは他のプログラマブルロジック・デバイス、ディスクリート・ゲートまたはトランジスタロジック・デバイス、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ５０１に位置し、プロセッサ５００はメモリ５０１内の情報を読み出して、そのハードウェアと協働して信号処理フローのステップを完成する。
【０１２６】
図６に示すように、本発明に係る実施例はセッションを確立するためのアクセスおよび移動管理機能エンティティを提供し、当該アクセスおよび移動管理機能エンティティは端末によって送信されるセッション確立要求を受信する第１の受信モジュール６００と、端末のためにコントロールプレーンセッションを確立することを確定し、セッション管理機能エンティティに前記端末のたまのコントロールプレーンセッションを確立するように指示する第１の実行モジュール６０１と、非アクセス層メッセージを介して端末との間でデータ伝送を行う伝送モジュール６０２とを含む。
【０１２７】
好ましくは、前記第１の実行モジュール６０１はさらに、登録過程において端末とネゴシエーションしてセッションタイプがコントロールプレーンセッションであると確定する。
【０１２８】
好ましくは、前記第１の実行モジュール６０１はさらに、前記セッション管理機能エンティティに前記アクセスおよび移動管理機能エンティティのトンネル情報を指示する。
【０１２９】
好ましくは、前記アクセスおよび移動管理機能エンティティのトンネル情報はユーザプレーン機能エンティティがアクセスおよび移動管理機能エンティティのトンネル情報に下りデータを送信するために用いられる。
【０１３０】
好ましくは、前記第１の受信モジュール６００はさらに、前記セッション管理機能エンティティによって指示されたユーザプレーン機能エンティティのトンネル情報を受信する。
【０１３１】
好ましくは、前記ユーザプレーン機能エンティティのトンネル情報は前記アクセスおよび移動管理機能エンティティがユーザプレーン機能エンティティのトンネル情報に上りデータを送信するために用いられる。
【０１３２】
好ましくは、前記第１の受信モジュール６００はさらに、前記セッション管理機能エンティティによって指示された前記セッションのサービス品質情報を受信する。
【０１３３】
好ましくは、前記伝送モジュール６０２は非アクセス層移動管理メッセージを介して端末との間でデータ伝送を行う。
【０１３４】
好ましくは、前記伝送モジュール６０２はさらに、トンネル情報を介してユーザプレーン機能エンティティとの間でデータ伝送を行う。
【０１３５】
好ましくは、前記伝送モジュール６０２は非アクセス層セッション管理メッセージを介して端末との間でデータ伝送を行う。
【０１３６】
好ましくは、前記伝送モジュール６０２はさらに、セッション管理機能エンティティとの間で非アクセス層セッション管理メッセージの伝送を行う。
【０１３７】
図７に示すように、本発明に係る実施例はセッションを確立するためのセッション管理機能エンティティを提供し、当該セッション管理機能エンティティは第２の受信モジュール７００と、第２の実行モジュール７０１とを含む。第２の受信モジュール７００は、端末によって送信されるセッション確立要求を受信し、アクセスおよび移動管理機能エンティティによって送信される、前記端末のコントロールプレーンセッションを確立するための指示情報を受信する。第２の実行モジュール７０１は、ユーザプレーン機能エンティティに下りデータを伝送するためのトンネル情報を指示する。
【０１３８】
好ましくは、前記第２の受信モジュール７００はさらに、前記アクセスおよび移動管理機能エンティティによって送信される前記アクセスおよび移動管理機能エンティティのトンネル情報を受信する。
【０１３９】
好ましくは、前記下りデータを伝送するためのトンネル情報はアクセスおよび移動管理機能エンティティによって提供されるトンネル情報、または前記セッション管理機能エンティティのトンネル情報である。
【０１４０】
好ましくは、前記第２の実行モジュール７０１はさらに、前記アクセスおよび移動管理機能エンティティに前記セッションのサービス品質情報を指示する。
【０１４１】
好ましくは、前記第２の実行モジュール７０１はさらに、前記セッション管理機能エンティティが前記アクセスおよび移動管理機能エンティティにユーザプレーン機能エンティティのトンネル情報を指示する。
【０１４２】
好ましくは、前記第２の実行モジュール７０１はさらに、前記端末のセッションコンテキスト情報によって、セッションタイプがコントロールプレーンセッションであると確定する。
【０１４３】
好ましくは、前記第２の実行モジュール７０１はさらに、前記アクセスおよび移動管理機能エンティティに当該セッションに対応するユーザプレーン機能エンティティのトンネル情報を指示する。
【０１４４】
好ましくは、前記第２の実行モジュール７０１はさらに、非アクセス層セッション管理メッセージを介して前記端末との間でデータ伝送を行う。
【０１４５】
好ましくは、前記第２の実行モジュール７０１はさらに、トンネル情報を介してユーザプレーン機能エンティティとの間でデータ伝送を行う。
【０１４６】
図８に示すように、本発明に係る実施例はセッションを確立するための端末を提供し、当該端末は、端末がアクセスおよび移動管理機能エンティティにセッション確立要求メッセージを送信するための送信モジュール８００と、前記アクセスおよび移動管理機能エンティティとのコントロールプレーンセッションを確立するための第３の実行モジュール８０１と、コントロールプレーンセッションを介して前記アクセスおよび移動管理機能エンティティとデータ伝送を行う第２の伝送モジュール８０２とを含む。
【０１４７】
好ましくは、前記第３の実行モジュール８０１はアクセスおよび移動管理機能エンティティにセッション確立要求メッセージを送信する前に、登録過程において前記アクセスおよび移動管理機能エンティティとネゴシエーションしてセッションタイプがコントロールプレーンセッションであると確定する。
【０１４８】
好ましくは、前記送信モジュール８００は前記アクセスおよび移動管理機能エンティティの間で送信される非アクセス層応答メッセージを受信した後、前記アクセスおよび移動管理機能エンティティに非アクセス層確認メッセージを送信する。
【０１４９】
好ましくは、前記第２の伝送モジュール８０２は、非アクセス層移動管理メッセージを介して前記端末とアクセスおよび移動管理機能エンティティとの間でデータ伝送を行うために用いられる。
【０１５０】
好ましくは、前記第２の伝送モジュール８０２は、非アクセス層セッション管理メッセージを介して前記端末と前記アクセスおよび移動管理機能エンティティとの間でデータ伝送を行うために用いられる。
【０１５１】
本発明に係る実施例はセッションを確立するための読み取り可能な記憶媒体を提供し、当該記憶媒体はプログラムコードを含み、前記プログラムコードがコンピュータ装置においてで実行される際、前記プログラムコードは前記コンピュータ装置にアクセスおよび移動管理機能エンティティのいずれの方法のステップ、またはセッション管理機能エンティティのいずれの方法のステップ、または端末のいずれの方法のステップを実行させる。
【０１５２】
同じ発明思想に基づいて、本発明に係る実施例はさらにアクセスおよび移動管理機能エンティティによりセッションを確立する方法を提供し、当該方法に対応する装置は本発明の実施例に係るセッションを確立するためのシステムにおけるアクセスおよび移動管理機能エンティティであり、また当該方法による問題解決の原理は当該装置と似ているため、当該方法の実施はシステムの実施を参照すればよく、ここでは重複して説明しない。
【０１５３】
図９に示すように、本発明の実施例に係るアクセスおよび移動管理機能エンティティによりセッションを確立する方法は以下のとおりである。
【０１５４】
ステップ９００において、アクセスおよび移動管理機能エンティティは端末によって送信されるセッション確立要求を受信する。
【０１５５】
ステップ９０１において、前記アクセスおよび移動管理機能エンティティは端末のためにコントロールプレーンセッションを確立することを確定する。
【０１５６】
ステップ９０２において、前記アクセスおよび移動管理機能エンティティはセッション管理機能エンティティに前記端末のコントロールプレーンセッションを確立するように指示する。
【０１５７】
ステップ９０３において、前記アクセスおよび移動管理機能エンティティと端末との間は非アクセス層メッセージを介してデータ伝送を行う。
【０１５８】
好ましくは、前記アクセスおよび移動管理機能エンティティが端末のコントロールプレーンセッションを確立することを確定することは、前記アクセスおよび移動管理機能エンティティが登録過程において端末とネゴシエーションしてセッションタイプがコントロールプレーンセッションであると確定することを含む。
【０１５９】
好ましくは、前記アクセスおよび移動管理機能エンティティがセッション管理機能エンティティに前記端末のコントロールプレーンセッションを確立するように指示することは、さらに、前記アクセスおよび移動管理機能エンティティが前記セッション管理機能エンティティに前記アクセスおよび移動管理機能エンティティのトンネル情報を指示することを含む。
【０１６０】
好ましくは、前記アクセスおよび移動管理機能エンティティが前記セッション管理機能エンティティに前記アクセスおよび移動管理機能エンティティのトンネル情報を指示することは、ユーザプレーン機能エンティティがアクセスおよび移動管理機能エンティティのトンネル情報に下りデータを送信するのに前記アクセスおよび移動管理機能エンティティのトンネル情報を用いることを含む。
【０１６１】
好ましくは、前記アクセスおよび移動管理機能エンティティがセッション管理機能エンティティに前記端末のコントロールプレーンセッションを確立するように指示することは、さらに、前記アクセスおよび移動管理機能エンティティが前記セッション管理機能エンティティによって指示されるユーザプレーン機能エンティティのトンネル情報を受信することを含む。
【０１６２】
好ましくは、前記アクセスおよび移動管理機能エンティティがユーザプレーン機能エンティティのトンネル情報に上りデータを送信するために前記ユーザプレーン機能エンティティのトンネル情報を用いることを含む。
【０１６３】
好ましくは、前記アクセスおよび移動管理機能エンティティが前記セッション管理機能エンティティによって指示されるユーザプレーン機能エンティティのトンネル情報を受信することは、さらに、前記アクセスおよび移動管理機能エンティティが前記セッション管理機能エンティティによって指示される前記セッションのサービス品質情報を受信することを含む。
【０１６４】
好ましくは、前記アクセスおよび移動管理機能エンティティと端末との間で非アクセス層メッセージを介してデータ伝送を行うことは、前記アクセスおよび移動管理機能エンティティと端末との間で非アクセス層移動管理メッセージを介してデータ伝送を行うことを含む。
【０１６５】
好ましくは、前記アクセスおよび移動管理機能エンティティと端末との間で非アクセス層移動管理メッセージを介してデータ伝送行うことは、さらに、前記アクセスおよび移動管理機能エンティティとユーザプレーン機能エンティティとの間でトンネル情報を介してデータ伝送を行うことを含む。
【０１６６】
好ましくは、前記アクセスおよび移動管理機能エンティティと端末との間で非アクセス層メッセージを介してデータ伝送を行うことは、前記アクセスおよび移動管理機能エンティティと端末との間で非アクセス層セッション管理メッセージを介してデータ伝送を行うことを含む。
【０１６７】
好ましくは、前記アクセスおよび移動管理機能エンティティと端末との間で非アクセス層セッション管理メッセージを介してデータ伝送を行うことは、さらに、前記アクセスおよび移動管理機能エンティティとセッション管理機能エンティティとの間で非アクセス層セッション管理メッセージの伝送を行うことを含む。
【０１６８】
同じ発明思想に基づいて、本発明に係る実施例はさらにセッション管理機能エンティティによりセッションを確立する方法を提供し、当該方法に対応する装置が本発明の実施例に係るセッションを確立するためのシステムにおけるセッション管理機能エンティティであり、また当該方法による問題解決の原理は当該装置に似ているため、当該方法の実施はシステムの実施を参照すればよく、ここでは重複して説明しない。
【０１６９】
図１０に示すように、本発明に係る実施例はセッション管理機能エンティティによりセッションを確立する方法を提供する。
【０１７０】
ステップ１０００において、セッション管理機能エンティティは端末によって送信されるセッション確立要求を受信する。
【０１７１】
ステップ１００１において、前記セッション管理機能エンティティはアクセスおよび移動管理機能エンティティによって送信される、前記端末のコントロールプレーンセッションを確立するための指示情報を受信する。
【０１７２】
ステップ１００２において、前記セッション管理機能エンティティは下りデータを伝送するためのトンネル情報をユーザプレーン機能エンティティに指示する。
【０１７３】
好ましくは、前記セッション管理機能エンティティがアクセスおよび移動管理機能エンティティによって送信される、前記端末のコントロールプレーンセッションを確立するための指示情報を受信することは、さらに、前記セッション管理機能エンティティが前記アクセスおよび移動管理機能エンティティによって送信される、前記アクセスおよび移動管理機能エンティティのトンネル情報を受信することを含む。
【０１７４】
好ましくは、前記セッション管理機能エンティティが下りデータを伝送するためのトンネル情報をユーザプレーン機能エンティティに指示することは、前記下りデータを伝送するためのトンネル情報がアクセスおよび移動管理機能エンティティによって提供されるトンネル情報、または前記セッション管理機能エンティティのトンネル情報であることを含む。
【０１７５】
好ましくは、前記セッション管理機能エンティティがアクセスおよび移動管理機能エンティティによって送信される、前記端末のコントロールプレーンセッションを確立するための指示情報を受信することは、さらに、前記セッション管理機能エンティティが前記アクセスおよび移動管理機能エンティティに前記セッションのサービス品質情報を指示することを含む。
【０１７６】
好ましくは、前記セッション管理機能エンティティがアクセスおよび移動管理機能エンティティによって送信される、前記端末のコントロールプレーンセッションを確立するための指示情報を受信することは、さらに、前記セッション管理機能エンティティが前記アクセスおよび移動管理機能エンティティにユーザプレーン機能エンティティのトンネル情報を指示することを含む。
【０１７７】
好ましくは、前記セッション管理機能エンティティがアクセスおよび移動管理機能エンティティによって送信される、前記端末のコントロールプレーンセッションを確立するための指示情報を受信することは、さらに、前記セッション管理機能エンティティが前記端末のセッションコンテキスト情報によって、セッションタイプがコントロールプレーンセッションであると確定することを含む。
【０１７８】
好ましくは、前記セッション管理機能エンティティによりセッションタイプがコントロールプレーンセッションであると確定することは、さらに、前記セッション管理機能エンティティが前記アクセスおよび移動管理機能エンティティに当該セッションに対応するユーザプレーン機能エンティティのトンネル情報を指示することを含む。
【０１７９】
好ましくは、前記セッション管理機能エンティティがアクセスおよび移動管理機能エンティティによって送信される、前記端末のコントロールプレーンセッションを確立するための指示情報を受信することは、さらに、前記セッション管理機能エンティティと前記端末との間で非アクセス層セッション管理メッセージを介してデータ伝送を行うことを含む。
【０１８０】
好ましくは、前記セッション管理機能エンティティと前記端末との間で非アクセス層セッション管理メッセージを介してデータ伝送を行うことは、さらに、前記セッション管理機能エンティティとユーザプレーン機能エンティティとの間でトンネル情報を介してデータ伝送を行うことを含む。
【０１８１】
同じ発明思想に基づき、本発明に係る実施例はさらに端末によりセッションを確立する方法を提供し、当該方法に対応する装置が本発明の実施例に係るセッションを確立するためのシステムにおける端末であり、また当該方法による問題解決の原理は当該装置に似ているため、当該方法の実施はシステムの実施を参照すればよく、ここでは重複して説明しない。
【０１８２】
図１１に示すように、本発明に係る実施例は端末によりセッションを確立する方法を提供し、当該方法は以下を含む。
【０１８３】
ステップ１１００において、端末はアクセスおよび移動管理機能エンティティにセッション確立要求メッセージを送信する。
【０１８４】
ステップ１１０１において、前記端末は前記アクセスおよび移動管理機能エンティティとのコントロールプレーンセッションを確立する。
【０１８５】
ステップ１１０２において、前記端末と前記アクセスおよび移動管理機能エンティティとの間でコントロールプレーンセッションを介してデータ伝送を行う。
【０１８６】
好ましくは、前記端末がアクセスおよび移動管理機能エンティティにセッション確立要求メッセージを送信する前に、前記端末が登録過程において前記アクセスおよび移動管理機能エンティティとネゴシエーションしてセッションタイプがコントロールプレーンセッションであると確定することを含む。
【０１８７】
好ましくは、前記端末と前記アクセスおよび移動管理機能エンティティとの間でコントロールプレーンセッションを確立することは、前記端末が前記アクセスおよび移動管理機能エンティティの間で送信される非アクセス層応答メッセージを受信した後、前記端末が前記アクセスおよび移動管理機能エンティティに非アクセス層確認メッセージを送信することを含む。
【０１８８】
好ましくは、前記端末と前記アクセスおよび移動管理機能エンティティとの間でコントロールプレーンセッションを介してデータ伝送を行うことは、前記端末と前記アクセスおよび移動管理機能エンティティとの間で非アクセス層移動管理メッセージを介してデータ伝送を行うことを含む。
【０１８９】
好ましくは、前記端末と前記アクセスおよび移動管理機能エンティティとの間でコントロールプレーンセッションを介してデータ伝送を行うことは、前記端末と前記アクセスおよび移動管理機能エンティティとの間で非アクセス層セッション管理メッセージを介してデータ伝送を行うことを含む。
【０１９０】
図１２に示すように、本発明に係る実施例はアクセスおよび移動管理機能エンティティと端末との間で非アクセス層移動管理メッセージを介してデータ伝送を行う完全なフローチャート（以下、アクセスおよび移動管理機能エンティティはすなわちＡＭＦエンティティ、セッションＳＭＦエンティティはすなわちセッション管理機能エンティティ、ＵＰＦエンティティはすなわちユーザプレーン機能エンティティである）を提供する。
【０１９１】
ステップ１２００において、端末はＡＭＦエンティティにＰＤＵセッション確立要求を送信する。
【０１９２】
ステップ１２０１において、ＡＭＦエンティティはセッション管理機能エンティティにセッション管理機能サービス要求メッセージ（ＡＭＦのトンネル情報を含む）（Ｎｓｍｆ＿ＰＤＵＳｅｓｓｉｏｎ＿ＣｒｅａｔｅＳＭＲｅｑｕｅｓｔ）を送信する。
【０１９３】
ステップ１２０２において、ＳＭＦエンティティはＵＤＭにサービスを要求する。
【０１９４】
ステップ１２０３において、ＳＭＦエンティティはＰＣＦにサービスを要求する。
【０１９５】
ステップ１２０４において、ＳＭＦエンティティはＵＰＦエンティティにＮ４セッション確立要求（ＡＭＦトンネル情報を含む）（Ｎ４  Ｓｅｓｓｉｏｎ  Ｅｓｔａｂｌｉｓｈｍｅｎｔ）を送信する。
【０１９６】
ステップ１２０５において、ＵＰＦエンティティはＳＭＦエンティティにＮ４セッション確立要求応答（Ｎ４  Ｓｅｓｓｉｏｎ  Ｅｓｔｂｌ  Ｒｅｓｐ）を返す。
【０１９７】
ステップ１２０６において、ＳＭＦエンティティはＡＭＦエンティティにセッションのサービス品質メッセージ（ＵＰＦトンネル情報を含む）（Ｎｓｍｆ＿ＰＤＵＳｅｓｓｉｏｎ＿ＣｒｅａｔｅＳＭＣｏｎｔｅｘｔＲｅｓｐ）を返す。
【０１９８】
ステップ１２０７において、ＡＭＦエンティティはＲＮＡエンティティにＮ２確立要求メッセージ（Ｎ２  ｍｓｇ）を送信する。
【０１９９】
ステップ１２０８において、ＲＡＮエンティティはＲＲＣメッセージを介して端末にＮＡＳ  ｍｅｓｓａｇｅ（ＲＲＣ  ｍｓｇ）を転送する。
【０２００】
ステップ１２０９において、端末はＲＲＣメッセージを介してＲＡＮにＰＤＵセッション確立応答メッセージ（ＲＲＣ  ｍｓｇ）を送信する。
【０２０１】
ステップ１２１０において、ＲＡＮエンティティはＮ２メッセージを介してＡＭＦエンティティにＮＡＳ応答メッセージ（Ｎ２  ｍｓｇ）を転送する。
【０２０２】
ステップ１２１１において、ＰＤＵセッション確立が完了すると、ＡＭＦと端末との間で非アクセス層移動管理メッセージを介してデータ伝送を行う。
【０２０３】
図１３に示すように、本発明に係る実施例はアクセスおよび移動管理機能エンティティと端末との間でデータ伝送を行う完全なフローチャート（以下、アクセスおよび移動管理機能エンティティはすなわちＡＭＦエンティティ、セッションＳＭＦエンティティはすなわちセッション管理機能エンティティ、ＵＰＦエンティティはすなわちユーザプレーン機能エンティティである）を提供する。
【０２０４】
ステップ１３００において、ＵＰＦエンティティはＳＭＦエンティティにデータ通知要求メッセージ（Ｄａｔａ  Ｎｏｔｉｆｉｃａｔｉｏｎ）を送信する。
【０２０５】
ステップ１３０１において、ＳＭＦエンティティはＡＭＦにサービス要求メッセージを送信する。
【０２０６】
ステップ１３０２において、ＡＭＦエンティティはＳＭＦエンティティにサービス要求メッセージを送信する。
【０２０７】
ステップ１３０３において、ＳＭＦエンティティはＵＰＦエンティティへＮ４プロセス（Ｎ４  Ｓｅｓｓｉｏｎ  Ｕｐｄａｔｅ）を開始する。
【０２０８】
ステップ１３０４において、ＵＰＦエンティティは下りデータをＡＭＦ（Ｎ４  Ｓｅｓｓｉｏｎ  Ｕｐｄａｔｅ）に送信する。
【０２０９】
ステップ１３０５において、ＡＭＦエンティティは端末へページング（Ｐａｇｉｎｇ）を開始する。
【０２１０】
ステップ１３０６において、端末はＲＲＣメッセージを介してＲＡＮにセッション確立メッセージ（ＲＲＣ  ｍｓｇ）を送信する。
【０２１１】
ステップ１３０７において、ＲＡＮエンティティはＮ２メッセージを介してＡＭＦエンティティにＮＡＳメッセージ（Ｎ２  ｍｓｇ）を送信する。
【０２１２】
ステップ１３０８において、ＡＭＦエンティティは下りデータに対して暗号化および保全性保護を行う。
【０２１３】
ステップ１３０９において、ＡＭＦエンティティはＮ２メッセージを介してＲＡＮエンティティにＮＡＳメッセージ応答メッセージ（ＮＡＳ  ｍｓｇ）を送信する。
【０２１４】
ステップ１３１０において、ＲＡＮエンティティはＲＲＣメッセージを介して端末にコントロールプレーンセッション確立応答メッセージ（ＲＲＣ  Ｍｓｇ）を返す。
【０２１５】
図１４に示すように、本発明に係る実施例はアクセスおよび移動管理機能エンティティと端末との間で非アクセス層セッション管理メッセージを介してデータ伝送を行う完全なフローチャート（以下、アクセスおよび移動管理機能エンティティはすなわちＡＭＦエンティティ、セッションＳＭＦエンティティはすなわちセッション管理機能エンティティ、ＵＰＦはすなわちユーザプレーン機能エンティティである）を提供する。
【０２１６】
ステップ１４００において、端末はＡＭＦエンティティにＰＤＵセッション確立要求を送信する。
【０２１７】
ステップ１４０１において、ＡＭＦエンティティはＳＭＦエンティティにＳＭＦサービス要求メッセージ（Ｎｓｍｆ＿ＰＤＵＳｅｓｓｉｏｎ＿ＣｒｅａｔｅＳＭＲｅｑｕｅｓｔ）を送信する。
【０２１８】
ステップ１４０２において、ＳＭＦエンティティはＵＤＭにサービスを要求する。
【０２１９】
ステップ１４０３において、ＳＭＦエンティティはＰＣＦにサービスを要求する。
【０２２０】
ステップ１４０４において、ＳＭＦエンティティはＵＰＦエンティティにＮ４セッション確立要求（Ｎ４  Ｓｅｓｓｉｏｎ  Ｅｓｔａｂｌｉｓｈｍｅｎｔ（ＳＭＦトンネル情報））を送信する。
【０２２１】
ステップ１４０５において、ＵＰＦエンティティはＳＭＦエンティティにＮ４セッション確立要求応答（Ｎ４  Ｓｅｓｓｉｏｎ  Ｅｓｔｂｌ  Ｒｅｓｐ）を返す。
【０２２２】
ステップ１４０６において、ＳＭＦエンティティはＡＭＦエンティティにセッションのサービス品質メッセージ（Ｎｓｍｆ＿ＰＤＵＳｅｓｓｉｏｎ＿ＣｒｅａｔｅＳＭＣｏｎｔｅｘｔＲｅｓｐ）を送信する。
【０２２３】
ステップ１４０７において、ＡＭＦエンティティはＲＮＡエンティティにＮ２確立要求メッセージ（Ｎ２  ｍｓｇ）を送信する。
【０２２４】
ステップ１４０８において、ＲＡＮエンティティはＲＲＣメッセージを介して端末にＮＡＳ  ｍｅｓｓａｇｅ（ＲＲＣ  ｍｓｇ）を転送する。
【０２２５】
ステップ１４０９において、端末はＲＲＣメッセージを介してＲＡＮにＰＤＵセッション確立応答メッセージ（ＲＲＣ  ｍｓｇ）を送信する。
【０２２６】
ステップ１４１０において、ＲＡＮエンティティはＮ２メッセージを介してＡＭＦエンティティにＮＡＳ応答メッセージ（Ｎ２  ｍｓｇ）を転送する。
【０２２７】
ステップ１４１１において、ＰＤＵセッション確立が完了すると、ＡＭＦと端末との間で非アクセス層セッション管理メッセージを介してデータ伝送を行う。
【０２２８】
図１５に示すように、本発明に係る実施例はアクセスおよび移動管理機能エンティティ、セッション管理機能エンティティと端末との間で下りデータ伝送を行う完全なフローチャート（以下、ＡＭＦエンティティはすなわちアクセスおよび移動管理機能エンティティ、ＳＭＦエンティティはすなわちセッション管理機能エンティティ、ＵＰＦはすなわちユーザプレーン機能エンティティである）を提供する。
【０２２９】
ステップ１５００において、ＵＰＦエンティティはＳＭＦエンティティにデータ通知要求メッセージ（Ｄａｔａ  Ｎｏｔｉｆｉｃａｔｉｏｎ）を送信する。
【０２３０】
ステップ１５０１において、ＳＭＦエンティティはＵＰＦエンティティへＮ４プロセス（Ｎ４  Ｓｅｓｓｉｏｎ  Ｕｐｄａｔｅ）を開始する。
【０２３１】
ステップ１５０２において、ＵＰＦエンティティは下りデータをＳＭＦエンティティ（ＤＬ  ｄａｔａ）に送信する。
【０２３２】
ステップ１５０３において、ＳＭＦエンティティはＡＭＦサービス要求メッセージ（Ｎｓｍｆ＿ＤａｔａＴｒａｎｓＲｅｑ／Ｒｅｓｐ  （Ｎ１  ＳＭ））を送信する。
【０２３３】
ステップ１５０４において、ＳＭＦエンティティは下りデータをＡＭＦエンティティ（ＤＬ  ｄａｔａ）に送信する。
【０２３４】
ステップ１５０５において、ＡＭＦエンティティは端末へページング（Ｐａｇｉｎｇ）を開始する。
【０２３５】
ステップ１５０６において、端末はＲＲＣメッセージを介してＲＡＮにセッション確立メッセージ（ＲＲＣ  ｍｓｇ）を送信する。
【０２３６】
ステップ１５０７において、ＲＡＮエンティティはＮ２メッセージを介してＡＭＦエンティティにＮＡＳメッセージ（Ｎ２  ｍｓｇ）を送信する。
【０２３７】
ステップ１５０８において、ＡＭＦはＮ２メッセージを介してＲＡＮエンティティにＮＡＳメッセージ応答メッセージ（ＮＡＳ  ｍｓｇ）を送信する。
【０２３８】
ステップ１５０９において、ＲＡＮエンティティはＲＲＣメッセージを介してコントロールプレーンセッション確立応答メッセージ（ＲＲＣ  Ｍｓｇ）を返す。
【０２３９】
以上は本発明に係る実施形態の方法、装置（システム）、およびコンピュータプログラム製品のブロック及び／又はフロー図により本発明を記述した。理解すべきことは、コンピュータプログラムの指令により、ブロック及び／又はフロー図における各ブロック、ならびにブロック及び／又はフロー図におけるブロックの結合を実現できる。これらのコンピュータプログラム指令を汎用コンピュータ、専用コンピュータのプロセッサ及び／又は他のプログラミング可能なデータ処理装置に提供することで、マシンを構成し、したがってコンピュータプロセッサ又は他のプログラミング可能なデータ処理装置によって実行される指令により、ブロック及び／又はフロー図に指定される機能／動作を実現させる方法を生成することができる。
【０２４０】
それに対応して、本発明はさらにハードウェア及び／又はソフトウェア（ファームウェア、常駐ソフトウェア、マイクロコードなどを含む）によって実施されてもよい。さらに、本出願はコンピュータ使用可能または読み取り可能な記憶媒体上のコンピュータプログラム製品の形態を採用してもよく、それは媒体中に具現化されたコンピュータ使用可能または読み取り可能なプログラムコードを有し、指令実行システムによって又は指令実行システムと組み合わせて利用される。本出願の文脈において、コンピュータ使用可能媒体又はコンピュータ読み取り媒体は、プログラムを記憶、通信、送信、または伝送する任意の媒体であってもよく、指令実行システム、装置またはデバイスによって、又は指令実行システム、装置またはデバイスと組み合わせて利用される。
【０２４１】
無論、当業者であれば、本発明の精神や範囲を逸脱することなく、本発明に様々な修正や変形が可能である。したがって、本発明の修正や変形が添付の特許請求の範囲とその均等技術の範囲に属する限り、本発明もこれらの修正や変形を含むように意図される。
【符号の説明】
【０２４２】
100  アクセスおよび移動管理機能エンティティ
101  セッション管理機能エンティティ
102  端末
300  プロセッサ
301  メモリ
302  送受信器
400  プロセッサ
401  メモリ
402  送受信器
500  プロセッサ
501  メモリ
502  送受信器
600  第１の受信モジュール
601  第１の実行モジュール
602  伝送モジュール
700  第２の受信モジュール
701  第２の実行モジュール
800  送信モジュール
801  第３の実行モジュール
802  第２の伝送モジュール
【図１】
2021508974.tif 000003
【図２】
2021508974.tif 000004
【図３】
2021508974.tif 000005
【図４】
2021508974.tif 000006
【図５】
2021508974.tif 000007
【図６】
2021508974.tif 000008
【図７】
2021508974.tif 000009
【図８】
2021508974.tif 000010
【図９】
2021508974.tif 000011
【図１０】
2021508974.tif 000012
【図１１】
2021508974.tif 000013
【図１２】
2021508974.tif 000014
【図１３】
2021508974.tif 000015
【図１４】
2021508974.tif 000016
【図１５】
2021508974.tif 000017
【手続補正書】
【提出日】令和2年6月25日(2020.6.25)
【手続補正１】
【補正対象書類名】明細書
【補正対象項目名】００５３
【補正方法】変更
【補正の内容】
【００５３】
前記アクセスおよび移動管理機能は端末のためのコントロールプレーンを確立すると確定した後、セッション管理機能エンティティにセッション管理機能要求メッセージを送信する。
【手続補正２】
【補正対象書類名】明細書
【補正対象項目名】００５４
【補正方法】変更
【補正の内容】
【００５４】
ここで、前記セッション管理機能エンティティサービス要求メッセージには前記アクセスおよび移動管理機能ＩＤ、ＰＤＵセッションを確立するためのＩＤ、ＰＤＵセッション確立要求、コントロールプレーンセッションを確立するための指示情報およびアクセスおよび移動管理機能エンティティのトンネル情報が含まれ、前記アクセスおよび移動管理機能エンティティのトンネル情報はユーザプレーン機能エンティティがアクセスおよび移動管理機能エンティティに下りデータを伝送するために用いられる。
【手続補正３】
【補正対象書類名】明細書
【補正対象項目名】００５５
【補正方法】変更
【補正の内容】
【００５５】
それに対応して、前記セッション管理機能エンティティはセッション管理機能エンティティサービス要求メッセージを受信した後、ＵＤＭ（Ｕｎｉｆｉｅｄ  Ｄａｔａ  Ｍａｎａｇｅｍｅｎｔ、統合データ管理機能）サービスを要求するとともに、前記ＵＤＭエンティティからＰＤＵセッションの関連契約情報を取得し、前記セッション管理機能エンティティはＰＣＦ（Ｐｏｌｉｃｙ  Ｃｏｎｔｒｏｌ  Ｆｕｎｃｔｉｏｎ、ポリシーコントロール機能）サービスを要求するとともに、前記ＰＣＦからＰＤＵセッションの関連ＰＣＣルールを取得する。
【手続補正４】
【補正対象書類名】明細書
【補正対象項目名】００５６
【補正方法】変更
【補正の内容】
【００５６】
前記セッション管理機能エンティティはＰＤＵセッションの関連契約情報および関連ＰＣＣルールを取得した後、前記アクセスおよび移動管理機能エンティティのトンネル情報およびｐａｃｋｅｔ  ｄｅｔｅｃｔｉｏｎ（パケット検出）などのルールをＮ４セッション確立要求メッセージに配置し、選択されたユーザプレーン機能エンティティに送信する。
【手続補正５】
【補正対象書類名】明細書
【補正対象項目名】００５７
【補正方法】変更
【補正の内容】
【００５７】
前記セッション管理機能エンティティは前記ユーザプレーン機能エンティティによって送信されたＮ４セッション確立応答メッセージを受信した後、アクセスおよび移動管理機能エンティティがユーザプレーン機能エンティティに上りデータを送信するためのユーザプレーン機能エンティティのトンネル情報、ＰＤＵセッションＩＤおよびＰＤＵセッション確立応答メッセージをセッションのサービス品質情報に配置して前記アクセスおよび移動管理機能エンティティに送信する。
【手続補正６】
【補正対象書類名】明細書
【補正対象項目名】００５８
【補正方法】変更
【補正の内容】
【００５８】
前記アクセスおよび移動管理機能エンティティがセッション確立を行う際にＱｏＳ（Ｑｕａｌｉｔｙ  ｏｆ  Ｓｅｒｖｉｃｅ、サービス品質）設定を行う必要があるが、前記セッション管理機能エンティティはＱｏＳ設定を確立するための既知の設定パラメーターを有せず、アクセスおよび移動管理機能エンティティより提供する必要があるため、前記セッション確立応答メッセージにはさらにＱｏＳ設定用の設定パラメーターが含まれる。
【手続補正７】
【補正対象書類名】明細書
【補正対象項目名】００５９
【補正方法】変更
【補正の内容】
【００５９】
それに対応して、前記アクセスおよび移動管理機能エンティティはＲＡＮ（Ｒａｄｉ  Ａｃｃｅｓｓ  Ｎｅｔｗｏｒｋ、無線アクセスネットワーク）にＮ２要求メッセージを送信し、ここで、前記Ｎ２要求メッセージには非アクセス層メッセージ（すなわちＰＤＵセッションＩＤおよびＰＤＵセッション確立応答メッセージ）が含まれる。
【手続補正８】
【補正対象書類名】明細書
【補正対象項目名】００６０
【補正方法】変更
【補正の内容】
【００６０】
前記ＲＡＮは前記アクセスおよび移動管理機能エンティティによって送信されたＮ２要求メッセージを受信した後、ＲＲＣメッセージを介して前記Ｎ２要求メッセージ中の非アクセス層メッセージを端末に送信する。
【手続補正９】
【補正対象書類名】明細書
【補正対象項目名】００６４
【補正方法】変更
【補正の内容】
【００６４】
前記ユーザプレーン機能エンティティのユーザプレーン機能により、下りデータを送信するためのパスがない事実を検出した場合、前記ユーザプレーン機能エンティティはセッション管理機能エンティティにデータ通知要求メッセージを送信し、当該メッセージにＰＤＵセッションＩＤが含まれている。
【手続補正１０】
【補正対象書類名】明細書
【補正対象項目名】００６５
【補正方法】変更
【補正の内容】
【００６５】
それに対応して、前記セッション管理機能エンティティはデータ通知要求メッセージを受信した後、前記端末のセッションコンテキスト情報によって、セッションタイプがコントロールプレーンセッションであると確定し、なお前記アクセスおよび移動管理機能エンティティにアクセスおよび移動管理機能エンティティのサービス要求メッセージを送信し、ここで、前記アクセスおよび移動管理機能エンティティサービス要求メッセージにはＰＤＵセッションＩＤ、前記ユーザプレーン機能エンティティトンネル情報が含まれている。
【手続補正１１】
【補正対象書類名】明細書
【補正対象項目名】００６６
【補正方法】変更
【補正の内容】
【００６６】
それに対応して、前記アクセスおよび移動管理機能エンティティはアクセスおよび移動管理機能エンティティのアクセスおよび移動管理機能サービス要求メッセージを受信した後、前記アクセスおよび移動管理機能エンティティのトンネル情報をセッション管理機能エンティティサービス要求メッセージに配置して前記セッション管理機能エンティティに送信する。
【手続補正１２】
【補正対象書類名】明細書
【補正対象項目名】００６８
【補正方法】変更
【補正の内容】
【００６８】
それに対応して、前記ユーザプレーン機能エンティティは受信した下りデータを、前記セッション管理機能エンティティのトンネル情報を介して前記アクセスおよび移動管理機能エンティティに送信し、前記アクセスおよび移動管理機能エンティティは前記ユーザプレーン機能エンティティによって送信された下りデータを受信した後、ＲＡＮを介して端末にページングを送信する。
【手続補正１３】
【補正対象書類名】明細書
【補正対象項目名】００６９
【補正方法】変更
【補正の内容】
【００６９】
前記端末はＲＡＮから送信されたページングを受信した後、ＲＲＣメッセージを介して前記ＲＡＮにコントロールプレーンセッション要求を送信し、前記ＲＡＮは前記コントロールプレーンセッション要求を前記アクセスおよび移動管理機能エンティティに送信し、前記端末と前記アクセスおよび移動管理機能エンティティとの間で接続を確立する。
【手続補正１４】
【補正対象書類名】明細書
【補正対象項目名】００７１
【補正方法】変更
【補正の内容】
【００７１】
ここで説明すべきことは、前記アクセスおよび移動管理機能エンティティが前記セッション管理機能エンティティにセッション管理機能エンティティサービス要求メッセージを送信すること、および前記ユーザプレーン機能エンティティが受信した下りデータを前記アクセスおよび移動管理機能エンティティトンネル情報を介して前記アクセスおよび移動管理機能エンティティに送信することは、前記端末と前記アクセスおよび移動管理機能エンティティとのの間で接続を確立した後に実行してもよい。
【手続補正１５】
【補正対象書類名】明細書
【補正対象項目名】００７５
【補正方法】変更
【補正の内容】
【００７５】
前記アクセスおよび移動管理機能は端末のコントロールプレーンセッションを確立すると確定した後、セッション管理機能エンティティにセッション管理機能サービス要求メッセージを送信し、ここで、前記アクセスおよび移動管理機能エンティティサービス要求メッセージには前記アクセスおよび移動管理機能ＩＤ、ＰＤＵセッションを確立するためのＩＤ、ＰＤＵセッション確立要求、コントロールプレーンセッションを確立するための指示情報が含まれている。
【手続補正１６】
【補正対象書類名】明細書
【補正対象項目名】００７６
【補正方法】変更
【補正の内容】
【００７６】
それに対応して、前記セッション管理機能エンティティはセッション管理機能サービス要求メッセージを受信した後、ＵＤＭにサービスを要求するとともに前記ＵＤＭからＰＤＵセッションの関連契約情報を取得し、前記アクセスおよび移動管理機能エンティティはＰＣＦにサービスを要求するとともに、前記ＰＣＦからＰＤＵセッションの関連ＰＣＣルールを取得する。
【手続補正１７】
【補正対象書類名】明細書
【補正対象項目名】００７７
【補正方法】変更
【補正の内容】
【００７７】
前記セッション管理機能エンティティはＰＤＵセッションの関連契約情報および関連ＰＣＣルールを取得した後、アクセスおよび移動管理機能エンティティトンネル情報およびｐａｃｋｅｔ  ｄｅｔｅｃｔｉｏｎなどのルールをＮ４セッション確立要求メッセージ内に配置し、選択されたユーザプレーン機能エンティティに送信する。
【手続補正１８】
【補正対象書類名】明細書
【補正対象項目名】００７８
【補正方法】変更
【補正の内容】
【００７８】
前記セッション管理機能エンティティは前記ユーザプレーン機能エンティティによって送信されたＮ４セッション確立応答メッセージを受信した後、ＰＤＵセッションＩＤおよびＰＤＵセッション確立応答メッセージをアクセスおよび移動管理機能サービス要求応答メッセージ内に配置して前記アクセスおよび移動管理機能エンティティに送信する。
【手続補正１９】
【補正対象書類名】明細書
【補正対象項目名】００８４
【補正方法】変更
【補正の内容】
【００８４】
前記ユーザプレーン機能エンティティのユーザプレーン機能により、下りデータを送信するためのパスがないことを検出した場合、前記ユーザプレーン機能エンティティはセッション管理機能エンティティにデータ通知要求メッセージを送信し、当該メッセージにＰＤＵセッションＩＤが含まれている。
【手続補正２０】
【補正対象書類名】明細書
【補正対象項目名】００８５
【補正方法】変更
【補正の内容】
【００８５】
それに対応して、前記セッション管理機能エンティティはデータ通知要求メッセージを受信した後、前記端末のセッションコンテキスト情報によって、セッションタイプがコントロールプレーンセッションであると確定し、Ｎ４セッション下りデータを介してアクセスおよび移動管理機能エンティティのンネル情報を前記ユーザプレーン機能エンティティに送信する。
【手続補正２１】
【補正対象書類名】明細書
【補正対象項目名】００８６
【補正方法】変更
【補正の内容】
【００８６】
それに対応して、前記アクセスおよび移動管理機能エンティティはアクセスおよび移動管理機能のアクセスおよび移動管理機能サービス要求メッセージを受信した後、前記アクセスおよび移動管理機能エンティティトンネル情報をアクセスおよび移動管理機能エンティティサービス要求メッセージに配置して前記セッション管理機能エンティティに送信する。
【手続補正２２】
【補正対象書類名】明細書
【補正対象項目名】００８７
【補正方法】変更
【補正の内容】
【００８７】
前記セッション管理機能エンティティはアクセスおよび移動管理機能エンティティによって送信されたアクセスおよび移動管理機能エンティティトンネル情報を受信した後、前記アクセスおよび移動管理機能エンティティトンネル情報を前記ユーザプレーン機能エンティティに送信する。
【手続補正２３】
【補正対象書類名】明細書
【補正対象項目名】００８９
【補正方法】変更
【補正の内容】
【００８９】
前記アクセスおよび移動管理機能エンティティは前記ユーザプレーン機能エンティティによって送信された下りデータを受信した後、ＲＡＮを介して端末にページングを送信する。
【手続補正２４】
【補正対象書類名】明細書
【補正対象項目名】００９０
【補正方法】変更
【補正の内容】
【００９０】
前記端末はＲＡＮから送信されたページングを受信した後、ＲＲＣメッセージを介して前記ＲＡＮにコントロールプレーンセッション要求を送信し、前記ＲＡＮは前記Ｃｏｎｔｒｏｌ  Ｐｌａｎｅセッション要求を前記アクセスおよび移動管理機能エンティティに送信し、前記端末と前記アクセスおよび移動管理機能エンティティとの間の接続を確立する。
【手続補正２５】
【補正対象書類名】明細書
【補正対象項目名】０１９８
【補正方法】変更
【補正の内容】
【０１９８】
ステップ１２０７において、ＡＭＦエンティティはＲＡＮエンティティにＮ２確立要求メッセージ（Ｎ２  ｍｓｇ）を送信する。
【手続補正２６】
【補正対象書類名】明細書
【補正対象項目名】０２２３
【補正方法】変更
【補正の内容】
【０２２３】
ステップ１４０７において、ＡＭＦエンティティはＲＡＮエンティティにＮ２確立要求メッセージ（Ｎ２  ｍｓｇ）を送信する。
【手続補正２７】
【補正対象書類名】特許請求の範囲
【補正対象項目名】全文
【補正方法】変更
【補正の内容】
【特許請求の範囲】
【請求項１】
アクセスおよび移動管理機能エンティティは端末から送信されるセッション確立要求を受信することと、
前記アクセスおよび移動管理機能エンティティは前記端末のためにコントロールプレーンセッションを確立することを確定することと、
前記アクセスおよび移動管理機能エンティティはセッション管理機能エンティティに前記端末のコントロールプレーンセッションを確立するように指示することと、
前記アクセスおよび移動管理機能エンティティと前記端末との間で非アクセス層メッセージを介してデータ伝送を行うことと、
を含むことを特徴とするセッションを確立する方法。
【請求項２】
前記アクセスおよび移動管理機能エンティティは前記端末のためにコントロールプレーンセッションを確立することを確定することは、
前記アクセスおよび移動管理機能エンティティは前記端末に対して登録を行う過程において前記端末とネゴシエーションしてセッションタイプがコントロールプレーンセッションであると確定すること、
を含むことを特徴とする請求項１に記載の方法。
【請求項３】
前記アクセスおよび移動管理機能エンティティは前記セッション管理機能エンティティに前記アクセスおよび移動管理機能エンティティのトンネル情報を指示し、
前記アクセスおよび移動管理機能エンティティのトンネル情報はユーザプレーン機能エンティティによってアクセスおよび移動管理機能エンティティに下りデータを送信することに用いられることを特徴とする請求項１に記載の方法。
【請求項４】
前記アクセスおよび移動管理機能エンティティは前記セッション管理機能エンティティによって指示されるユーザプレーン機能エンティティのトンネル情報を受信し、
前記ユーザプレーン機能エンティティのトンネル情報は前記アクセスおよび移動管理機能エンティティによってユーザプレーン機能エンティティに上りデータを送信することに用いられることを特徴とする請求項１から３のいずれか一項に記載の方法。
【請求項５】
前記アクセスおよび移動管理機能エンティティは前記セッション管理機能エンティティによって指示される前記セッションのサービス品質メッセージを受信すること、
をさらに含むことを特徴とする請求項４に記載の方法。
【請求項６】
前記アクセスおよび移動管理機能エンティティと端末との間で非アクセス層メッセージを介してデータ伝送を行うことは、
前記アクセスおよび移動管理機能エンティティと端末との間で非アクセス層移動管理メッセージを介してデータ伝送を行うことと、
前記アクセスおよび移動管理機能エンティティとユーザプレーン機能エンティティとの間でトンネルを介してデータ伝送を行うことと、
を含むことを特徴とする請求項１から５のいずれか一項に記載の方法。
【請求項７】
前記アクセスおよび移動管理機能エンティティと端末との間で非アクセス層メッセージを介してデータ伝送を行うことは、
前記アクセスおよび移動管理機能エンティティと端末との間で非アクセス層セッション管理メッセージを介してデータ伝送を行うことと、
前記アクセスおよび移動管理機能エンティティとセッション管理機能エンティティとの間で非アクセス層セッション管理メッセージの伝送を行うことと、
を含むことを特徴とする請求項１から６のいずれか一項に記載の方法。
【請求項８】
セッション管理機能エンティティは端末から送信されるセッション確立要求を受信することと、
前記セッション管理機能エンティティはアクセスおよび管理機能エンティティから送信される、端末のコントロールプレーンセッションを確立するための指示情報を受信することと、
前記セッション管理機能エンティティはユーザプレーン機能エンティティに下りデータを伝送するためのトンネル情報を指示することと、
を含むことを特徴とするセッションを確立する方法。
【請求項９】
前記下りデータを伝送するためのトンネル情報はアクセスおよび移動管理機能エンティティによって提供されるトンネル情報、または前記セッション管理機能エンティティのトンネル情報である、
ことを特徴とする請求項８に記載の方法。
【請求項１０】
前記セッション管理機能エンティティは前記端末のセッションコンテキスト情報に基づき、セッションタイプがコントロールプレーンセッションであると確定すること、
をさらに含むことを特徴とする請求項８に記載の方法。
【請求項１１】
前記セッション管理機能エンティティと前記端末との間で非アクセス層セッション管理メッセージを介してデータ伝送を行うことと、
前記セッション管理機能エンティティとユーザプレーン機能エンティティとの間でトンネル情報を介してデータ伝送を行うことと、
をさらに含むことを特徴とする請求項８に記載の方法。
【請求項１２】
端末はアクセスおよび移動管理機能エンティティにセッション確立要求メッセージを送信することと、
前記端末と前記アクセスおよび移動管理機能エンティティとはコントロールプレーンセッションを確立することと、
前記端末と前記アクセスおよび移動管理機能エンティティとはコントロールプレーンセッションを介してデータ伝送を行うことと、
を含むことを特徴とするセッションを確立する方法。
【請求項１３】
セッション確立を行うアクセスおよび移動管理機能エンティティであって、
端末によって送信されるセッション確立要求を受信する第１の受信モジュールと、
前記端末のためにコントロールプレーンセッションを確立することを確定し、セッション管理機能エンティティに前記端末のコントロールプレーンセッションを確立するように指示する第１の実行モジュールと、
非アクセス層メッセージを介して前記端末との間でデータ伝送を行う伝送モジュールと、
を含むことを特徴とするアクセスおよび移動管理機能エンティティ。
【請求項１４】
セッション確立を行うセッション管理機能エンティティであって、
端末によって送信されるセッション確立要求を受信し、アクセスおよび移動管理機能エンティティによって送信される、前記端末のコントロールプレーンセッションを確立するための指示情報を受信する第２の受信モジュールと、
ユーザプレーン機能エンティティに下りデータを伝送するためのトンネル情報を指示する第２の実行モジュールと、
を含むことを特徴とするセッション管理機能エンティティ。
【請求項１５】
セッション確立を行う端末であって、
端末がアクセスおよび移動管理機能エンティティにセッション確立要求メッセージを送信することに用いられる送信モジュールと、
前記アクセスおよび移動管理機能エンティティとのコントロールプレーンセッションを確立する第３の実行モジュールと、
コントロールプレーンセッションを介して前記アクセスおよび移動管理機能エンティティとデータ伝送を行うことに用いられる第２の伝送モジュールと、
を含むことを特徴とする端末。
【手続補正２８】
【補正対象書類名】図面
【補正対象項目名】図１５
【補正方法】変更
【補正の内容】
【図１５】
2021508974.tif 000018
【国際調査報告】
2021508974.tif 000019
2021508974.tif 000020
2021508974.tif 000021
2021508974.tif 000022